(57)【要約】    【目的】この発明は、発信手段と受信手段の何れか一方あるいは両方に複数のアンテナを接続し、当該発信手段から発信される高周波信号を当該受信手段が受信中に当該複数のアンテナを切替えあるいは組合わせを変えた時に、当該受信手段が受信する高周波信号のタイミングあるいは振幅あるいは周波数あるいは位相あるいはこれらの組合わせの変化をリアルタイムで検知することによって、当該発信手段が位置する方向および当該発信手段と受信手段の距離を精度良く検知できるアクテイブタグ装置に関するものである。    【構成】発信手段1の指向性アンテナの方向31に対向して受信手段2の指向性アンテナ21aと21bを向け、発信手段１が高周波信号を発信中に指向性アンテナ21aと21bを切替えた時に受信した高周波信号のタイミングあるいは振幅あるいは周波数あるいは位相あるいはこれらの組合わせの変化をリアルタイムで検知し、当該発信手段1が位置する方向を検知し当該発信手段と受信手段の距離を検知する。  【選択図】図１
2006023261.tif 000002
【特許請求の範囲】
【請求項１】
超音波信号あるいは高周波信号あるいは光信号を利用した検知システムにおいて、
無変調あるいは任意の変調信号により変調された超音波信号あるいは高周波信号あるいは光信号を任意の数のアンテナあるいは送受波器から連続あるいはバースト状に発信するための発信手段と、当該発信手段から発信された超音波信号あるいは高周波信号あるいは光信号を複数のアンテナあるいは送受波器により受信するための受信手段から構成され、
当該発信手段において当該変調信号が主として当該発信手段を識別するための識別用信号と測定のための測定用信号から構成されあるいは当該測定用信号の一部あるいは全部が搬送波信号あるいは副搬送波信号で代替されており、
当該発信手段あるいは受信手段あるいはこれらの両方が複数のアンテナあるいは送受波器を周期的に切替えあるいは任意の組合わせに変えるための切替合成器を有し、
当該受信手段が入力信号を直接増幅しあるいは少なくとも副搬送波信号あるいは中間周波信号あるいはベースバンド信号に変換するために必要な数の受信機と当該受信機の出力信号を基準発振器に同期してデジタル信号に変換し当該受信機の出力信号からタイミングあるいは振幅あるいは周波数あるいは位相あるいはこれらの組合せをリアルタイムで検出するための信号検出器を有し、
当該信号検出器において当該識別用信号を検出して当該発信手段を識別し当該アンテナあるいは送受波器の必要な組合わせ毎にリアルタイムで検出された検出結果から当該発信手段との距離あるいは位置する方向あるいは高さあるいは深さあるいはこれらの組合わせを検知することを特徴とするアクテイブタグ装置
【請求項２】
超音波信号あるいは高周波信号あるいは光信号を利用した検知システムにおいて、
無変調あるいは任意の変調信号により変調されスペクトル拡散符号により拡散された超音波信号あるいは高周波信号あるいは光信号を任意の数のアンテナあるいは送受波器から連続あるいはバースト状に発信するための発信手段と、当該発信手段から発信された超音波信号あるいは高周波信号あるいは光信号を任意の数のアンテナあるいは送受波器により受信するための受信手段から構成され、
当該発信手段において生成されるスペクトル拡散符号が主として短時間に同期を確立するための短周期の符号系列と測定を行うための比較的に長周期の符号系列あるいは短周期の符号系列の複数回の繰返しから構成され、
当該受信手段が入力信号を直接増幅しあるいは少なくとも副搬送波信号あるいは中間周波信号あるいはベースバンド信号に変換するために必要な数の受信機と当該受信機の出力信号を当該受信手段の基準発振器に同期してデジタル信号に変換した後に当該受信手段において固定して準備されあるいは当該受信手段の基準発振器に同期して生成されるスペクトル拡散符号との間で相関をとるための相関器とあるいは当該受信手段において固定して準備されあるいは当該受信手段の基準発振器に同期して生成されるスペクトル拡散符号との間で相関をとった後に当該受信手段に同期してデジタル信号に変換するための相関器と当該相関器の出力信号からタイミングあるいは振幅あるいは周波数あるいは位相あるいはこれらの組合わせをリアルタイムで検出するための信号検出器を有し、
当該発信手段から発信される拡散符号と当該信号検出器において固定して準備しあるいは基準発振器と同期して生成される拡散符号との同期を検出しあるいは同期を確立し当該相関器の出力信号に含まれる識別用信号を検出して当該発信手段を識別し当該アンテナあるいは送受波器の必要な組合わせ毎にリアルタイムで検出された検出結果から当該発信手段との距離あるいは位置する方向あるいは高さあるいは深さあるいはこれらの組合わせを検知することを特徴とするアクテイブタグ装置
【請求項３】
超音波信号あるいは高周波信号あるいは光信号を利用した検知システムにおいて、
無変調あるいは任意の変調信号により変調されスペクトル拡散符号により拡散された超音波信号あるいは高周波信号あるいは光信号を任意の数のアンテナあるいは送受波器から連続あるいはバースト状に発信するための発信手段と、当該発信手段から発信された超音波信号あるいは高周波信号あるいは光信号を任意の数のアンテナあるいは送受波器により受信するための受信手段から構成され、
当該発信手段において生成されるスペクトル拡散符号が主として短時間に同期を確立するための短周期の符号系列と測定を行うための比較的に長周期の符号系列あるいは短周期の符号系列の複数回の繰返しから構成され、
当該発信手段あるいは受信手段あるいはこれらの両方が複数のアンテナあるいは送受波器を周期的に切替えあるいは任意の組合わせに変えるための切替合成器を有し、
当該受信手段が入力信号を直接増幅しあるいは少なくとも副搬送波信号あるいは中間周波信号あるいはベースバンド信号に変換するために必要な数の受信機と当該受信機の出力信号を当該受信手段の基準発振器に同期してデジタル信号に変換した後に当該受信手段において固定して準備されあるいは当該受信手段の基準発振器に同期して生成されるスペクトル拡散符号との間で相関をとるための相関器あるいは当該受信手段において固定して準備されあるいは当該受信手段の基準発振器に同期して生成されるスペクトル拡散符号との間で相関をとった後に当該受信手段に同期してデジタル信号に変換するための相関器と当該相関器の出力信号からタイミングあるいは振幅あるいは周波数あるいは位相あるいはこれらの組合わせをリアルタイムで検出するための信号検出器を有し、
当該発信手段から発信される拡散符号と当該信号検出器において固定して準備しあるいは基準発振器と同期して生成される拡散符号との同期を検出しあるいは同期を確立し当該相関器の出力信号に含まれる識別用信号を検出して当該発信手段を識別し当該アンテナあるいは送受波器の必要な組合わせ毎にリアルタイムで検出された検出結果から当該発信手段との距離あるいは位置する方向あるいは高さあるいは深さあるいはこれらの組合わせを検知することを特徴とするアクテイブタグ装置
【請求項４】
超音波信号あるいは高周波信号あるいは光信号を利用した検知システムにおいて、
無変調あるいは任意の変調信号により変調された超音波信号あるいは高周波信号あるいは光信号を任意の数のアンテナあるいは送受波器から連続あるいはバースト状に発信するための発信手段と、当該発信手段から発信された超音波信号あるいは高周波信号あるいは光信号を受信して直接あるいは必要な変換を行って再発信する中継手段と、当該中継手段から再発信された超音波信号あるいは高周波信号あるいは光信号を複数のアンテナあるいは送受波器により受信するための受信手段から構成され、
当該中継手段あるいは受信手段あるいはこれらの両方が複数のアンテナあるいは送受波器を周期的に切替えあるいは任意の組合わせに変えるための切替合成器を有し、
当該受信手段が入力信号を直接増幅しあるいは少なくとも副搬送波信号あるいは中間周波信号あるいはベースバンド信号に変換するために必要な数の受信機あるいは当該切替合成器からの出力信号と当該発信手段で発信した超音波信号あるいは高周波信号あるいは光信号とを直接ミキシングしてビート周波数を検出するために必要な数の受信機と当該受信機の出力信号を当該受信手段の基準発振器に同期してデジタル信号に変換し当該受信機の出力信号からタイミングあるいは振幅あるいは周波数あるいは位相あるいはこれらの組合わせをリアルタイムで検出するための信号検出器を有し、
当該信号検出器において当該アンテナあるいは送受波器の必要な組合わせ毎にリアルタイムで検出された当該検出結果から当該中継手段との距離あるいは位置する方向あるいは高さあるいは深さあるいはこれらの組合わせを検知することを特徴とするアクテイブタグ装置
【請求項５】
超音波信号あるいは高周波信号あるいは光信号を利用した検知システムにおいて、
無変調あるいは任意の変調信号により変調された超音波信号あるいは高周波信号あるいは光信号を任意の数のアンテナあるいは送受波器から連続あるいはバースト状に発信するための発信手段と、当該発信手段から発信された超音波信号あるいは高周波信号あるいは光信号を受信しスペクトル拡散符号を生成して拡散を行いあるいは必要な変換を施して連続あるいはバースト状に再発信する中継手段と、当該中継手段から再発信された超音波信号あるいは高周波信号あるいは光信号を複数の数のアンテナあるいは送受波器により受信するための受信手段から構成され、
当該中継手段において生成されるスペクトル拡散符号が少なくとも短時間に同期を確立するための短周期の符号系列と測定を行うための比較的に長周期の符号系列あるいは短周期の符号系列の複数回の繰返しから構成され、
当該受信手段が入力信号を増幅しあるいは少なくとも副搬送波信号あるいは中間周波信号あるいはベースバンド信号に変換するために必要な数の受信機と当該受信機の出力信号を当該受信手段の基準発振器に同期してデジタル信号に変換した後に当該受信手段において固定して準備されあるいは当該受信手段の基準発振器に同期して生成したスペクトル拡散符号との間で相関をとるための相関器あるいは当該受信手段において固定して準備されあるいは当該受信手段の基準発振器に同期して生成されるスペクトル拡散符号との間で相関をとった後に当該受信手段の基準発振器に同期してデジタル信号に変換するための相関器と当該受信機の出力信号からタイミングあるいは振幅あるいは周波数あるいは位相あるいはこれらの組合わせをリアルタイムで検出するための信号検出器を有し、
当該中継手段で生成される拡散符号と当該信号検出器において固定して準備しあるいは基準発振器と同期して生成される拡散符号との同期を検出しあるいは同期を確立し当該相関器の出力信号に含まれる識別用信号を検出して当該中継手段を識別し当該アンテナあるいは送受波器の必要な組合わせ毎にリアルタイムで検出された検出結果から当該中継手段との距離あるいは位置する方向あるいは高さあるいは深さあるいはこれらの組合わせを検知することを特徴とするアクテイブタグ装置
【請求項６】
超音波信号あるいは高周波信号あるいは光信号を利用した検知システムにおいて、
無変調あるいは任意の変調信号により変調されスペクトル拡散符号により拡散された超音波信号あるいは高周波信号あるいは光信号を任意の数のアンテナあるいは送受波器から連続あるいはバースト状に発信するための発信手段と、当該発信手段から発信された超音波信号あるいは高周波信号あるいは光信号を受信して識別用信号を重畳して再発信しあるいは少なくともスペクトル拡散符号により比較的に広い帯域に拡散しあるいは必要な変換を施して連続あるいはバースト状に再発信する中継手段と、当該中継手段から再発信された超音波信号あるいは高周波信号あるいは光信号を複数のアンテナあるいは送受波器により受信するための受信手段から構成され、
当該中継手段においてスペクトル拡散される拡散符号が少なくとも短時間に同期を確立するための短周期の符号系列と測定を行うための比較的に長周期の符号系列あるいは短周期の符号系列の複数回の繰返しから構成され、
当該中継手段あるいは受信手段あるいはこれらの任意の組合わせが複数のアンテナあるいは送受波器を周期的に切替えあるいは任意の組合わせに変えるための切替合成器を有し、
当該受信手段が入力信号と当該発信手段で生成したスペクトル拡散符号の少なくとも１チップ以上遅れの拡散符号との間で相関をとって増幅しあるいは当該相関出力を少なくとも副搬送波信号あるいは中間周波信号あるいはベースバンド信号に変換するために必要な数の受信機と当該受信機の出力信号を基準発振器に同期してデジタル信号に変換した後に当該受信手段において固定して準備されあるいは当該基準発信器に同期して生成されたスペクトル拡散符号との間で相関をとるための相関器あるいは当該受信手段において固定して準備されあるいは当該受信手段の基準発振器に同期して生成されるスペクトル拡散符号との間で相関をとった後に当該基準発振器に同期してデジタル信号に変換するための相関器と当該相関器の出力信号からタイミングあるいは振幅あるいは周波数あるいは位相あるいはこれらの組合わせをリアルタイムで検出するための信号検出器を有し、
当該中継手段で生成される拡散符号と当該信号検出器において固定して準備しあるいは基準発振器と同期して生成される拡散符号との同期を検出しあるいは同期を確立し当該相関器の出力信号に含まれる識別用信号を検出して当該中継手段を識別し当該アンテナあるいは送受波器の必要な組合わせ毎にリアルタイムで検出された検出結果から当該中継手段との距離あるいは位置する方向あるいは高さあるいは深さあるいはこれらの組合わせを検知することを特徴とするアクテイブタグ装置
【請求項７】
当該受信手段が複数のアンテナあるいは送受波器を切替えあるいは組合せを変えた時に当該複数のアンテナあるいは送受波器の内の特定の一つが当該複数の受信機を一巡して切替えられる間に当該複数の受信機間の誤差あるいは特定の受信機の誤差を求め当該信号検出器による検出結果を補正することを特徴とする請求項第１項から第６項に記載のアクテイブタグ装置
【請求項８】
当該発信手段あるいは中継手段においてスペクトル拡散符号により単一あるいは複数の超音波信号あるいは高周波信号あるいは光信号が直接拡散されあるいは周波数ホッピングされあるいは時間ホッピングされあるいはチャープ変調されあるいは直交周波数分割多重化されあるいはこれらが組み合わされておりあるいは当該スペクトル拡散符号の符号系列あるいは符号長あるいは伝送速度あるいは位相あるいはこれらの組合わせが固定されあるいは変化することを特徴とする請求項第１項から第７項までに記載のアクテイブタグ装置
【請求項９】
当該発信手段あるいは中継手段において同期しあるいは直交した複数の搬送波周波数あるいは複数の副搬送波周波数あるいは複数の変調周波数あるいは複数の拡散符号速度の間でホッピングさせた超音波信号あるいは高周波信号あるいは光信号を発信しあるいは同期しあるいは直交する複数の搬送波信号あるいは複数の副搬送波信号あるいは複数の変調信号あるいは複数の拡散符号あるいはこれらの組合わせにより構成される超音波信号あるいは高周波信号あるいは光信号を同時あるいは交互に発信しあるいは任意の変調信号により振幅変調されあるいは単側帯波変調されあるいは両側帯波変調された超音波信号あるいは高周波信号あるいは光信号を発信し当該受信手段において当該発信手段あるいは中継手段からの距離を検知することを特徴とする請求項第１項から第８項に記載のアクテイブタグ装置
【請求項１０】
当該発信手段あるいは中継手段において伝送速度あるいは符号系列あるいはこれらの両方が異なり同期しあるいは直交する複数のスペクトル拡散符号で同時にあるいは交互に拡散させて発信し、当該受信手段において当該発信手段あるいは中継手段からの距離を検知することを特徴とする請求項第１項から第９項に記載のアクテイブタグ装置
【請求項１１】
当該発信手段あるいは中継手段において任意の数のアンテナあるいは送受波器から発信し当該受信手段において複数のアンテナあるいは送受波器を切替えあるいは組合わせを変えながら受信することによって当該発信手段あるいは中継手段のアンテナあるいは送受波器が位置する方向あるいは高さあるいは深さを検知することを特徴とする請求項第１項から第１０項に記載のアクテイブタグ装置
【請求項１２】
当該発信手段あるいは中継手段において複数のアンテナあるいは送受波器を切替えあるいは組合わせを変えながら発信し当該受信手段において任意の数のアンテナあるいは送受波器を用いて受信することによって当該発信手段あるいは中継手段の複数のアンテナあるいは送受波器を結ぶ線と垂直な線の方向あるいは高さあるいは深さからのずれを検知することを特徴とする請求項第１項から第１１項に記載のアクテイブタグ装置
【請求項１３】
当該発信手段あるいは中継手段においてスペクトル拡散符号が連続して発信される場合には当該スペクトル拡散符号１周期分が繰返し生成されあるいはバースト状に発信される場合には少なくとも当該スペクトル拡散符号１周期分で構成され、当該受信手段において固定して準備されるスペクトル拡散符号１周期分との相関をとるための相関器あるいは当該受信手段において基準発振器に同期して生成されるスペクトル拡散符号との相関をとるための相関器が設けられることを特徴とする請求項第１項から第１２項に記載のアクテイブタグ装置
【請求項１４】
当該発信手段あるいは中継手段がアンテナあるいは送受波器から連続あるいはバースト状に発信し当該中継手段を複数台設置して各々異なるスペクトル拡散符号によって拡散して再発信し当該受信手段において受信した超音波信号あるいは高周波信号あるいは光信号と当該受信手段において固定して準備されあるいは基準発振器と同期して生成した複数のスペクトル拡散符号との間で相関をとることを特徴とする請求項第１項から第１３項に記載のアクテイブタグ装置
【請求項１５】
当該信号検出器において当該検出結果を直接処理しあるいは一時蓄積しあるいは任意の割合で加算しあるいは減算しあるいは任意の組合わせで比較を行いあるいは必要な演算を行いあるいはこれらの組合わせの結果から当該発信手段あるいは中継手段からの距離あるいは位置する方向あるいは高さあるいは深さあるいはこれらの組合わせを検知することを特徴とする請求項第１項から第１４項に記載のアクテイブタグ装置
【請求項１６】
当該発信手段あるいは中継手段と当該受信手段の何れか一方あるいはこれらの両方の複数のアンテナあるいは送受波器が周期的に切替えられあるいは組合わせが変えられ当該信号検出器により測定が行われる際に正の順番に測定した値と逆の順番に測定された値あるいは一方向に測定したものと逆方向に測定されたものの差分をとることで基本的に存在する誤差を削減することを特徴とする請求項第１項から第１５項に記載のアクテイブタグ装置
【請求項１７】
当該タイミングあるいは振幅あるいは周波数あるいは位相あるいはこれらの組合せをリアルタイムで検出するために分解能に応じて必要な数の高速で動作する高周波論理回路を設け当該高周波論理回路を用いて積和演算を行いあるいは高速フーリエ変換を行いあるいは当該デジタル信号から振幅スペクトルあるいは位相スペクトルあるいはこれらの両方を検出しあるいは任意の期間の平均をとりあるいは窓関数を設けて演算を行いあるいは任意のサンプリング数毎あるいは任意のサンプリング周波数毎に検出した結果を時系列にならべあるいはタイムスタンプを付して出力しあるいはこれらを組合わせることを特徴とする請求項第１項から第１６項に記載のアクテイブタグ装置
【請求項１８】
当該受信機の出力信号を基準発振器に同期したサンプリング周波数で変換したデジタル信号を多段のシフトレジスタに蓄積し当該シフトレジスタから当該サンプリング周波数の整数倍あるいは整数分の１に同期した信号成分の少なくとも１サイクル分を単位として１組あるいは複数組を選択しあるいは当該受信機の出力信号を複数種類の異なるサンプリング周波数でデジタル信号に変換し当該サンプリング周波数毎に設けた複数のシフトレジスタに蓄積し当該サンプリング周波数に同期した信号成分の少なくとも１サイクル分を単位として１組あるいは複数組を選択し当該組毎のデジタル信号を基本単位として積和演算しあるいは高速フーリエ変換して必要な分解能を確保しながら当該受信機の出力信号のタイミングあるいは振幅あるいは周波数あるいは位相あるいはこれらの組合せを検出することを特徴とする請求項第１項から第１７項に記載のアクテイブタグ装置
【請求項１９】
当該高速で動作する高周波論理回路が基本となる論理回路とこれらを組合わせた機能ブロックから構成され当該デジタル信号とＳｉｎおよびＣｏｓのルックアップテーブルとの積和演算あるいは高速フーリエ変換を行いあるいは当該デジタル信号に対して必要なリアルタイム処理を行うことを特徴とする請求項第１項から第１８項に記載のアクテイブタグ装置
【請求項２０】
当該タイミングあるいは振幅あるいは周波数あるいは位相あるいはこれらの組合せをリアルタイムで検出するために用いるＳｉｎのルックアップテーブルが０、１、０、−１、あるいは１、１、−１、−１、あるいはこれらの整数倍あるいは整数分の１の繰り返しでありあるいはＣｏｓのルックアップテーブルが１、０、−１、０あるいは１、−１、−１、１、あるいはこれらの整数倍あるいは整数分の１の繰り返しでありあるいは積和演算を行う際の−１の乗算は当該デジタル信号の補数を求めあるいはこれらの組合わせであることを特徴とする請求項第１項から第１９項に記載のアクテイブタグ装置
【請求項２１】
当該受信手段において受信した超音波信号あるいは高周波信号あるいは光信号を直接増幅しあるいは副搬送波信号あるいは中間周波信号あるいはベースバンド信号への変換を行った後にＮ乗あるいはＮ逓倍を行ってキャリアをリカバリーし当該リカバリーしたキャリアからタイミングあるいは振幅あるいは周波数あるいは位相あるいはこれらの組合わせを検出することを特徴とする請求項第１項から第２０項に記載のアクテイブタグ装置
【請求項２２】
当該発信手段から発信される超音波信号あるいは高周波信号あるいは光信号と当該中継装置で再発信され当該受信手段が受信する超音波信号あるいは高周波信号あるいは光信号とをミキシングしあるいはビートをとり基準発振器に同期したサンプリング周波数でデジタル信号に変換してシフトレジスタに蓄積し当該シフトレジスタの任意のタップ間隔を選択しあるいは任意のタップを組合わせてサンプリング周波数の異なる複数組のデジタル信号を生成しあるいは当該ミキサーあるいは相関器の出力信号をサンプリング周波数の異なる複数組のデジタル信号に変換し当該複数組のデジタル信号毎に該当するサンプリング周波数を用いて積和演算しあるいは高速フーリエ変換しあるいは必要な演算を行うことで周波数スペクトルをリアルタイムで検出することを特徴とする請求項第１項から第２１項に記載したアクテイブタグ装置
【請求項２３】
当該発信手段あるいは中継手段あるいは受信手段の複数のアンテナあるいは送受波器が前後方向あるいは左右方向あるいは上下方向あるいは対称方向あるいはこれらの組合わせの方向に搬送波信号あるいは副搬送波信号あるいはベースバンド信号あるいは拡散符号の１波長程度以下あるいは１チップ程度以下の間隔で配置されあるいは当該複数のアンテナあるいは送受波器の間隔が使用時に伸張できる構造でありあるいは当該複数のアンテナあるいは送受波器が収納できる構造でありあるいはこれらの組合わせであることを特徴とする請求項第１項から第２２項に記載のアクテイブタグ装置
【請求項２４】
当該複数のアンテナあるいは送受波器を搬送波信号あるいは副搬送波信号あるいはベースバンド信号あるいは拡散符号の１波長程度以下あるいは１チップ程度以下の間隔で配置して１組とし、少なくとも２組を特定の間隔をおいて配置し指向性のビームが水平方向あるいは垂直方向あるいは任意の方向に切替えられあるいは回転できる構造であり、当該中継手段あるいは発信手段が位置する方向あるいは距離あるいは高さあるい深さあるいはこれらの組合せを検知することを特徴とする請求項第１項から第２３項に記載したアクテイブタグ装置
【請求項２５】
当該発信手段あるいは中継手段側のアンテナあるいは送受波器の指向性ビームが比較的に狭く当該受信手段側のアンテナあるいは送受波器の指向性ビームが比較的に広くあるいは発信時には当該指向性のビームを絞り受信時には当該指向性ビームを広くすることで当該発信手段あるいは中継手段を容易に補足できしかもマルチパスの影響を受けにくくすることを特徴とする請求項第１項から第２４項に記載のアクテイブタグ装置
【請求項２６】
当該受信手段の複数組のアンテナあるいは送受波器の内少なくとも２組のアンテナが移動体の幅の間隔で進行方向あるいは後方向の両側に設けられあるいは歩行者の両肩あるいは両胸あるいは左右方向あるいは上下方向に任意の間隔を置いて設けられることを特徴とする請求項第１項から第２５項に記載のアクテイブタグ装置
【請求項２７】
当該受信手段において必要な数のアンテナあるいは送受波器を間隔を置いて配置しあるいは当該発信手段において必要な数のアンテナあるいは送受波器を間隔を置いて配置し当該各アンテナあるいは送受波器に対応してリアルタイムで検出した検出結果から距離と方向から当該受信手段の位置を検知しあるいは三角法あるいは双曲線法により当該受信手段の位置を検知することを特徴とする請求項第１項から第２６項までに記載のアクテイブタグ装置
【請求項２８】
第１の発信手段あるいは中継手段と第２の発信手段あるいは中継手段を特定の２点間の両端に設置し当該受信手段によって方向と距離を検知することで起点と終点を検知し２点間を歩行あるいは移動することを特徴とする請求項第１項から第２７項に記載したアクテイブタグ装置
【請求項２９】
当該発信手段あるいは中継手段が異なるスペクトル拡散符号を繰返し発信しあるいは任意の周期分をバースト状に発信しあるいは相互に同期して発信しあるいは任意のタイミングで発信しあるいは当該発信手段あるいは中継手段の複数のアンテナあるいは送受波器毎に拡散符号を変えて発信しあるいはこれらの組合わせで発信することを特徴とする請求項第１項から第２８項に記載したアクテイブタグ装置
【請求項３０】
当該発信手段あるいは中継手段が車道あるいは車道の走行車線に沿って設置されあるいは交通信号に連動して設置され当該受信手段を搭載した車両が当該発信手段あるいは中継手段が設置された方向あるいは距離あるいはこれらの両方を検知し当該発信手段から発信される報知情報を検出することによって当該車両の運行を制御しあるいは走行状態を確認しあるいは運転者に対して警報を発することを特徴とする請求項第１項から第２９項に記載したアクテイブタグ装置
【請求項３１】
当該発信手段あるいは中継手段のアンテナあるいは送受波器が移動体の移動可能な線状の幅の中央あるいは両端に設置され、当該移動体が携帯しあるいは設置する受信手段によって当該発信手段あるいは中継手段が設置された方向あるいは距離あるいはこれらの両方を検知することによって当該移動体が移動する場合の移動範囲を制御しあるいは誘導することを特徴とする請求項第１項から第３０項に記載のアクテイブタグ装置
【請求項３２】
当該受信手段の少なくとも１組の指向性アンテナあるいは指向性送受波器の指向性ビームの方向が当該移動体の進行方向に向くように杖の一部あるいは取っ手部分あるいは懐中電灯あるいはヘッドライトあるいはめがねあるいはヘッドランプあるいは肩あるいは胸のポケットあるいは腰ベルトあるいはこれらの組合わせで設けられることを特徴とする請求項第１項から第３１項に記載のアクテイブタグ装置
【請求項３３】
当該発信手段あるいは中継手段から発信される超音波信号あるいは高周波信号あるいは光信号に当該複数のアンテナあるいは送受波器の設置場所と指向性ビームの方向に関する情報が含まれており当該情報をもとに移動体の移動方向に必要な発信手段あるいは中継手段を選択しあるいは誘導を受けあるいは移動を制御することを特徴とする請求項第１項から第３２項に記載したアクテイブタグ装置
【請求項３４】
当該複数のアンテナあるいは送受波器が無指向性の場合には主として当該発信手段の識別符号の発受信あるいは概略の位置の検知に利用され、当該複数のアンテナあるいは送受波器が指向性の場合には方向あるいは位置を検知するのに用いられることを特徴とする請求項第１項から第３３項に記載したアクテイブタグ装置
【請求項３５】
当該超音波信号あるいは高周波信号あるいは光信号が間欠的に発信される時間が比較的に短い場合には当該同期用符号と測定用符号の両方が発信され当該発信される時間が比較的に長時間継続される場合には当該測定用符号が主に発信されることを特徴とする請求項第１項から第３４項に記載したアクテイブタグ装置
【請求項３６】
当該発信手段あるいは中継手段のアンテナが複数の放射素子を持つ漏洩ケーブルでありあるいは指向性が当該ケーブルに対して垂直方向でありあるいは偏波面が円偏波であり、当該ケーブルが特定の場所あるいは経路あるいは範囲あるいはエリアを囲いあるいは区分するように設置され、当該受信手段が当該ケーブルの方向あるいは当該ケーブルまでの距離を検知することによって当該囲いあるいは区分の内側に居るかあるいは外側に居ることを検知することを特徴とする請求項第１項から第３５項に記載したアクテイブタグ装置
【請求項３７】
当該発信手段あるいは中継手段が特定の地点あるいは場所あるいは経路あるいは範囲あるいはエリアの特性に関する情報あるいは必要なサービス情報を発信することを特徴とする請求項第１項から第３６項に記載したアクテイブタグ装置
【請求項３８】
当該受信手段に内蔵した無線送信機から送信される発信要求信号を当該発信手段あるいは中継手段に内蔵した無線受信機が受信し当該発信手段あるいは中継手段からの発信を起動することを特徴とする請求項第１項から第３７項に記載したアクテイブタグ装置
【請求項３９】
当該受信手段が比較的に大入力時でも飽和を起こさない個所あるいは利得調整器の出力側に当該受信手段において生成する拡散符号との相関をとるための相関器を設け過度な飽和を避け受信入力のダイナミックレンジを拡大することを特徴とする請求項第１項から第３８項に記載したアクテイブタグ装置
【請求項４０】
当該受信手段が地磁気センサーあるいは加速度センサーあるいは重力センサーあるいはＧＰＳ受信機あるいはこれらの組合せを搭載して当該受信手段の検知結果を補完しあるいは当該アンテナあるいは送受波器の対地面の水平度を検知することを特徴とする請求項第１項から第３９項に記載したアクテイブタグ装置
【請求項４１】
当該発信手段が単一あるいは複数であり人工衛星に搭載されあるいは任意の場所に設置されており当該発信手段から発信された超音波信号あるいは高周波信号あるいは光信号の一部あるいは全部が障害物により回折されあるいは反射物により反射されあるいは中継手段により中継されて受信手段に到来し当該受信手段において間隔を置いて設置された複数のアンテナあるいは送受波器を用いて当該超音波信号あるいは高周波信号あるいは光信号が到来する方向と当該障害物あるいは反射物あるいは中継手段との距離を検知することによって当該発信手段と受信手段との間の距離を検知しあるいは補正することを特徴とする請求項第１項から第４０項に記載したアクテイブタグ装置
【請求項４２】
当該発信手段が人工衛星に搭載されあるいは任意の場所に設置され同期しあるいは直交する複数の搬送波信号あるいは副搬送波信号あるいは変調信号あるいは拡散符号あるいはデータあるいはこれらの任意の組合わせで繰返しあるいは組合わせを変えながら発信することを特徴とする請求項第１項から第４１項に記載したアクテイブタグ装置
【請求項４３】
当該中継手段が人工衛星に搭載されあるいは任意の場所に設置された発信手段から発信される高周波信号を受信して再発信しあるいは当該中継手段の識別信号を重畳して再発信しあるいは不感地帯に向けあるいはサービスエリアの拡大のために再発信しあるいは当該発信手段から直接波を受信するエリアの電界強度を増加させない程度の出力電力でもって再発信しあるいはこれらの組合わせにより再発信することを特徴とする請求項第１項から第４２項に記載したアクテイブタグ装置
【請求項４４】
当該中継手段が常時は衛星からのＧＰＳ信号を中継するための中継手段として機能し間欠的に発信手段として超音波信号あるいは高周波信号あるいは光波信号を発信することを特徴とする請求項第１項から第４３項に記載したアクテイブタグ装置
【請求項４５】
当該受信手段および発信手段が固定され当該発信手段から発信され当該受信手段により受信される超音波信号あるいは高周波信号あるいは光信号に急激な変化が生じたことを検知した時には不法侵入者の侵入として警報を発信し、当該受信手段が携帯されあるいは移動する適法な発信手段が位置する方向あるいは位置を検知した場合には歩行経路をモニターしあるいは動向をモニターすることを特徴とする請求項第１項から第４４項に記載したアクテイブタグ装置
【請求項４６】
当該発信手段のアンテナあるいは送受波器が交通信号器あるいは交通表示板あるいは街路灯あるいは看板あるいは交通規制に関する装置あるいは器具の内部に組込まれ当該装置あるいは器具の後部の収納ケースが反射板の役割をし前部が収束レンズあるいはレドームの役割を果たすことを特徴とする請求項第１項から第４５項に記載したアクテイブタグ装置
【請求項４７】
当該指向性アンテナあるいは指向性送受波器の地板あるいは反射板を移動体に密着させあるいは移動体自体を代替とすることによって当該移動体が地板あるいは反射板の役割をしあるいは補強することを特徴とする請求項第１項から第４６項に記載したアクテイブタグ装置
【請求項４８】
当該発信手段が複数のワイヤレスマイクであり当該複数のワイヤレスマイクの内から動作中のチャンネル毎に位置する方向あるいは場所を検知し当該検知結果から動作させるべき拡声器を選択しあるいは拡声する音両を制御して立体効果を持たせ、あるいは当該発信手段が複数の無線機であり当該無線機が位置する方向あるいは場所を検知しあるいはデータを受信しあるいはこれらの両方を行うことを特徴とする請求項第１項から第４７項に記載したアクテイブタグ装置
【請求項４９】
当該発信手段あるいは受信手段の何れか一方あるいはこれらの両方が衛星を含む飛行体に搭載されあるいは地上の移動体に装備されあるいは携帯され当該受信手段において当該発信手段との高低方向あるいは左右方向の相対的な角度あるいは角度と距離あるいはこれらの組合わせを検知することを特徴とする請求項第１項から第４８項に記載したアクテイブタグ装置
【請求項５０】
当該中継手段において当該中継手段を識別するための識別符号あるいは拡散符号あるいは変調信号あるいはこれらの組合わせにより多重拡散しあるいは多重変調しあるいは多重波として再発信を行いあるいは当該中継手段の受信側に帯域を制限するためのフイルタを挿入しあるいはこれらの両方を行うことを特徴とする請求項第１項から第４９項に記載したアクテイブタグ装置
【請求項５１】
当該中継手段が少なくとも２基のアンテナあるいは送受波器と広帯域のストレートアンプで構成され、当該ストレートアンプの増幅度が当該アンテナあるいはる送受波器間のアンソレーションより小さくあるいは回り込みによる発振の対策が採れれており遅延時間が無視できる程度にあるいは比較的に短いことを特徴とする請求項第１項から第５０項に記載したアクテイブタグ装置
【請求項５２】
当該発信手段あるいは中継手段と受信手段のアンテナあるいは送受波器の関係と当該中継手段の受信側と発信側のアンテナあるいは送受波器の関係において当該アンテナあるいは送受波器の偏波面が相互間で直交しあるいは偏波面の旋回方向が相互間で逆であることを特徴とする請求項第１項から第５１項に記載したアクテイブタグ装置
【請求項５３】
当該中継手段において受信した超音波信号あるいは高周波信号あるいは光信号を電気エネルギーに変換して必要なエネルギーを蓄積しスペクトル拡散符号あるいは識別符号をあるいはこれらの両方を生成してスペクトル拡散し連続あるいはバースト状に再発信することを特徴とする請求項第１項から第５２項に記載したアクテイブタグ装置
【請求項５４】
当該中継手段が移動体に搭載されあるいは移動体により携帯され当該発信手段と受信手段により当該移動体の位置あるいは位置する方向あるいは相対的な速度を測定することを特徴とする請求項第１項から第５３項に記載したアクテイブタグ装置
【請求項５５】
当該受信手段あるいは発信手段あるいは中継手段あるいはこれらの組合わせが複数個所に距離をおいて設置され通信回線により相互間が接続されておりあるいは中央装置に接続されており移動体に装備されあるいは携帯された複数の発信手段あるいは中継手段からデータを受信しあるいは当該移動体の位置あるいは方向あるいは高さあるいは深さあるいはこれらの組合わせを検知してデジタル表示することを特徴とする請求項第１項から第５４項に記載したアクテイブタグ装置
【請求項５６】
当該発信手段あるいは中継手段において生成した光信号を高周波信号により変調して空間に放射し当該受信手段において受信した光信号から当該高周波信号を復調しタイミングあるいは振幅あるいは周波数あるいは位相あるいはこれらの組合わせを検出することを特徴とする請求項第１項から第５５項に記載したアクテイブタグ装置
【請求項５７】
当該発信手段あるいは中継手段が太陽電池および蓄電用コンデンサとの一体構造であり全体が防水筐体あるいは耐衝撃性の筐体に収納され、道路の表面あるいは歩道の表面あるいは屋外に露出される個所に設置されるのに耐える構造であり主として太陽光あるいは人工の照明光からエネルギーを受けて動作することを特徴とする請求項第１項から第５６項に記載したアクテイブタグ装置
【請求項５８】
当該中継手段が蓄電用コンデンサーと部品を組み立てたプリント基板とアンテナあるいは送受波器との薄板状構造であり全体が防水筐体に収納され当該発信手段から照射された信号エネルギーの一部を利用して充電されることを特徴とする請求項第１項から第５７項に記載したアクテイブタグ装置
【請求項５９】
内蔵されたアンテナが電子レンジの高周波信号を受信し当該受信した高周波信号を整流して電池あるいは蓄電用コンデンサを充電することを特徴とする請求項第１項から第５８項に記載したアクテイブタグ装置
【請求項６０】
当該受信手段に設けられあるいは接続された表示装置あるいは音声装置において当該受信手段を携帯しあるいは装備した移動体が目的とする進行方向を基準としあるいは当該発信手段が位置する方向を基準としあるいは当該受信手段のアンテナあるいは送受波器の指向性ビームが現在向いている方向を基準として当該発信手段が修正すべき方向あるいは角度を矢印により表示しあるいは当該発信手段との距離を矢印の長さにより表示しあるいは音声によりアナウンスすることを特徴とする請求項第１項から第５９項に記載したアクテイブタグ装置
【請求項６１】
当該発信手段あるいは中継手段が衝撃あるいは圧力あるいは特定の事象により起電しあるいは特性を変化させる素子あるいはセンサあるいはこれらの組合わせにより発信を起動することを特徴とする請求項第１項から第６０項に記載したアクテイブタグ装置
【請求項６２】
当該発信手段あるいは中継手段のアンテナの放射体あるいは地板が円錐形あるいは角形あるいは球形あるいは楕円形でありあるいは地板および放射体の内部に収納する部分を有し当該発信手段あるいは中継手段の回路部品の一部あるいは全部が当該アンテナの放射体あるいは放射体と地板の内部に収納され不要な信号を外部に放射することを抑制することを特徴とする請求項第１項から第６１項に記載したアクテイブタグ装置
【請求項６３】
当該受信手段の複数のアンテナが固定無線局あるいは移動無線局のダイバーシテイアンテナと共用することを特徴とする請求項第１項から第６２項に記載したアクテイブタグ装置
【請求項６４】
当該発信手段から当該受信手段に向かう伝搬路の周辺あるいは伝搬路内あるいは伝搬路に沿って存在する反射物体に対しこれらを除去しあるいは反射を抑制するよう対策を行うことを特徴とする請求項第１項から第６３項に記載したアクテイブタグ装置
【請求項６５】
当該発信手段あるいは受信手段あるいは中継手段が着脱の容易な構造であり、照明灯あるいは照明器具内あるいはこれらに近接して取り付けられあるいは電力の供給を受け、当該照明器具あるいは設置場所の番号あるいは該当する地点あるいは場所あるいはエリアの特性を示す識別番号を発信することを特徴とする請求項第１項から第６４項に記載したアクテイブタグ装置
【請求項６６】
当該発信手段あるいは中継手段から発信される超音波信号あるいは高周波信号あるいは光信号を当該受信手段の局発信号とし当該中継手段から発信され当該受信手段が受信する超音波信号あるいは高周波信号あるいは光信号とミキシングをしあるいはビートをとるための混合器あるいは相関器を設け当該混合器あるいは相関器を設けることを特徴とする請求項第１項から第６５項に記載したアクテイブタグ装置
【請求項６７】
当該発信手段あるいは中継手段が発信するスペクトル拡散符号の１周期分を単位として整数ビットあるいは整数分の１ビットのデータあるいはデジタル音声信号を重畳し当該受信手段において当該スペクトル拡散符号の１周期分を単位として元のデータあるいはデジタル音声信号を復元しあるいは復調することを特徴とする請求項第１項から第６６項に記載したアクテイブタグ装置
【請求項６８】
当該発信手段あるいは中継手段において当該スペクトル拡散符号を直接超音波信号あるいは高周波信号あるいは光信号としてアンテナあるいは送受波器から発信することを特徴とする請求項第１項から第６７項に記載したアクテイブタグ装置
【請求項６９】
当該発信手段あるいは中継手段に接続された複数のアンテナあるいは送受波器を間隔を置いて設置しあるいは任意の数のアンテナあるいは送受波器が接続された複数の発信手段あるいは中継手段を間隔をおいて設置し当該複数のアンテナあるいは送受波器あるいは当該複数の発信手段あるいは中継手段に対して少なくとも搬送波周波数あるいは副搬送波周波数あるいは変調信号あるいはスペクトル拡散符号あるいは識別符号あるいはタイミングあるいは主要なパラメータの内の何れか一つを違えて割当てることによって当該超音波信号あるいは高周波信号あるいは光信号を発信することを特徴とする請求項第１項から第６８項に記載したアクテイブタグ装置
【請求項７０】
当該発信手段あるいは中継手段と当該受信手段の何れか一方が基地局あるいは中継局あるいは固定局でありあるいは何れか一方が移動局あるいは携帯端末であることを特徴とする請求項第１項から第６９項に記載したアクテイブタグ装置
【請求項７１】
当該複数のアンテナあるいは送受波器により受信される超音波信号あるいは高周波信号あるいは光信号の位相を制御してアダプテイブに合成することにより希望波の方向に対してはビームを形成し妨害波の方向に対してはヌルを形成し当該位相の制御結果よりあるいは当該位相の制御結果を加味することにより目的とする発信手段あるいは中継手段の位置する方向と距離を検知することを特徴とする請求項第１項から第７０項に記載したアクテイブタグ装置
【発明の詳細な説明】
【技術分野】
【０００１】
この発明は、超音波あるいは電波あるいは光波を利用したアクテイブタグシステムにおいて、発信手段から発信される超音波信号あるいは高周波信号あるいは光信号を受信手段で複数の指向性アンテナあるいは送受波器を用いて受信しあるいは当該発信手段において複数の指向性アンテナあるいは送受波器を切替えて発信された超音波信号あるいは高周波信号あるいは光信号を当該受信手段で受信し、当該複数の指向性アンテナあるいは送受波器を切替えあるいは組合わせを変えた時に当該受信手段が受信した超音波信号あるいは高周波信号あるいは光信号のタイミングあるいは振幅あるいは周波数あるいは位相を測定することで当該発信手段が存在する位置あるいは存在する方向あるいは距離あるいは位置あるいはこれらの組合わせが高い精度で検知できるアクテイブタグ装置に関するものである。
【背景技術】
【０００２】
方向探知機については、従来から複数のアンテナを切替えて電波の到来方向を探知する方法として従来から循環切換型ドップラ方向探知機があり、最近では特許文献１に示すような複数のアンテナを切替えるもの、あるいは特許文献２に示すようなＡ／Ｄコンバータでデジタル信号に変換しデジタル処理を行うもものがあるる。一方、方位を測定するためのレーダー装置としては特許文献１の三次元レーダーがあり、あるいは特許文献２のようにアンテナの合成分配器を設けることで水平・垂直の方位識別を時分割で行う方法があり、あるいは非特許文献２の７６ＧＨｚ帯の自動車用ミリ波レーダーでは複数の送信側指向性アンテナと受信側指向性アンテナの指向性の組合わせを変えて水平方向の方位を測定する方法がある。
【０００３】
従来のドップラ方向探知機では円周上に配置した複数のアンテナを順次循環して切換えることによって生じるドップラー効果から切換走査と同期した低周波信号を取り出し当該低周波信号の位相から受信信号の到来方向を測定するものであり、受信用のアンテナや装置全体が大きくなり、また数百ＭＨｚ帯以上の高い周波数の高周波信号や連続あるいはバースト状に発信される電波やスペクトル拡散された電波が発信された方向を探知するのが難しいかほとんど不可能である。
一方、最近の方向探知機では特許文献１のように複数のアンテナを切替えるものでは位相差の測定を高速に行わなければならないためアナログ式の位相検波器を用いなければ処理が遅くなり、特許文献２のようにデジタル信号に変換して位相差を算出処理する場合には複数のアンテナを切替えて処理を行うと時間遅れが生じるためアンテナを合成するほうほうしか採れない問題点がある。これに対して本発明の実施例の図４の方式では複数のアンテナを切替えてしかもデジタル信号に変換して処理する場合でも特許文献８に示す高周波論理回路を用いてデジタル信号処理を行うとリアルタイムでの処理が可能となる。
特許文献３の三次元レーダーでは大型で複雑となり高価となる欠点があり、特許文献４のレーダ装置では送受信アンテナを合成分配することで探知と方位測定に必要な振幅情報と位相情報を取得して処理する場合に、デジタル信号に変換して処理するとリアルタイムの処理が難しいので、位相情報を取得する際に複数のアンテナ出力の差をとっているため方位の中心部分で出力が最低となり十分な出力が得られないために方位の測定精度が悪くなっているのに対して、本発明の実施例の図４では複数のアンテナあるいは送受波器を切替える際に個々のアンテナあるいは送受波器毎あるいはアンテナあるいは送受波器の組合わせ毎にデジタル信号に変換し位相ベクトルを検出してリアルタイム処理を行うため方位の中心で特に振幅が大きく位相の測定の精度が高くなっている。
非特許文献４の７６ＧＨｚ帯の自動車用ミリ波レーダでは衝突を防止するためにリアルタイムの処理が必要でありデジタル信号に変換して処理が出来ないので、方向を測定するのにビームを極端に絞った複数個の送信アンテナと受信アンテナの指向性の方向を組合わせているので組合わせを細かくすることが難しく±４°程度の精度のものであるのに対して、本発明の実施例の図４では±１°の精度が実現できる。
特許文献５〜７の水中超音波機器では障害物あるいは反射物が位置する方向を測定するためのスキャニング探知と深さを測定するための測深探知に分けて実施しなければならないのに対して本発明の実施例の図１ではスキャニング探知と深さを測定するための測深探知の両方を同時に実施できる。
【特許文献１】特表２００２−５２９９４２号公報
【特許文献２】特開平０９−２３６６４６号公報
【特許文献３】特開２００１−４２０３６号公報
【特許文献４】特開平１１−１７４１４７号公報
【特許文献５】特開平０５−２３２２２５号公報
【特許文献６】特開平０５−２８８８５１号公報
【特許文献７】特開２００１−１４１８０８号公報
【特許文献８】特願２００４−０５７５０８号
【非特許文献１】坂巻佳壽美著「見てわかるデジタル信号処理」株式会社工業調査会出版
【非特許文献２】Masaru OGAWA "ELECTRICALLY SCANNED MILLIMETER WAVE AUTOMOTIVE RADAR" MWE2003 Microwave Workshop Digest, [WS4-2], P105-P109, November 26-28, 2003
【発明の開示】
【発明が解決しようとする課題】
【０００４】
従来の方法では、超音波信号あるいは高周波信号あるいは光信号をデジタル信号に変換して高速の処理を行う場合にリアルタイムで処理するのが難しく、方向探知装置のようにある程度の遅れが許容される場合を除いては、高速処理が要求される個所をアナログ回路で処理することが必要であり方位測定の精度が悪く装置も高価となり小型化が難しく、従来の方法が適用できない問題があった。
【課題を解決するための手段】
【０００５】
この発明に係わるアクテイブタグ装置は、上記の問題点を解決するためになされたものであり、発信手段と受信手段の小型化が可能であり、発信手段あるいは受信手段において複数の指向性アンテナあるいは送受波器を切替えあるいは組合わせを変えた時に受信した超音波信号あるいは高周波信号あるいは光信号のタイミングあるいは振幅あるいは周波数あるいは位相あるいはこれらの組合わせをリアルタイムで検出し、当該検出結果から当該発信手段までの距離あるいは位置する方向あるいは高さあるいは深さを高い精度でリアルタイムに検知することができる。
【発明の効果】
【０００６】
この発明のアクテイブタグ装置において、当該受信手段の複数のアンテナあるいは送受波器を周期的に切替えあるいは組合わせを変えながらスペクトル拡散符号との同期をマッチドフイルタを用いて短時間で確立し、当該受信した超音波信号あるいは高周波信号あるいは光信号のタイミングあるいは振幅あるいは周波数あるいは位相あるいはこれらの組合わせをリアルタイムで検出し、位相差を±１°以内の精度で測定することによって当該発信手段が位置する方向と距離が高い精度でリアルタイムに検知できる。
【発明を実施するための最良の形態】
【０００７】
この発明に係わるアクテイブタグ装置は、発信手段と中継手段と受信手段の組合わせから構成され、当該発信手段は主に路面あるいは歩道上あるいは街灯柱あるいは電柱あるいは交通信号器などに固定して設置され、識別用符号と測定用符号により変調されあるいはスペクトル拡散された高周波信号を発信し、当該受信手段は人あるいはロボットなどの移動体が携帯しあるいは装着して用い、当該識別用符号により当該発信手段を識別し、当該測定用符号により当該発信手段が位置する方向あるいは距離あるいは位置を高い精度でリアルタイムに検知する。
【実施例１】
【０００８】
以下、本発明の実施例を図１に従って説明する。図１において、１は発信手段、２は受信手段、２１ａ、２１ｂは指向性アンテナ、３１は当該発信手段１のアンテナの指向性パターン、３１ａ、３１ｂは発信手段１から受信手段２のアンテナ２１ａと２１ｂへ向けた方向線、３２ａ、３２ｂはアンテナ２１ａ、２１ｂの指向性パターン、３３ａは指向性３１の延長線、３３ｂは指向性３２ａ、３２ｂの中心線、３４ａ、３４ｂ、３４ｃ、３４ｄは寸法線である。
ここで、３４ａをｄｍとし、３４ｂをＤｍとする。発信手段１からは指向性３１の方向にスペクトル拡散符号で拡散された高周波信号が放射されており、受信手段２は指向性３２ａと３２ｂを有するアンテナ２１ａと２１ｂを周期的に切替えながら当該高周波信号を受信しているものとする。
受信手段２から見て発信手段１が位置する方向を検知するために発信手段１から方向線３１ａと３１ｂを通って伝搬される高周波信号の拡散符号あるいは搬送波の伝搬位相差を測定するものとすると、伝搬位相差Δφは、Δφ＝（２π／λ）｛ｒ×（ｄ／Ｄ）｝から求められる。ここで、ｒｍ＝アンテナ２１ａと２１ｂ間の長さ、ｄｍ＝３４ａ、Ｄｍ＝３４ｂ、ｄｍ＜＜Ｄｍとする。
先ず、伝搬位相差Δφを当該高周波信号の搬送波の位相差で測定する場合を検討すると、無線周波数を２．４ＧＨｚ帯とすると、λ＝０．１２５ｍとなり、ｒ＝０．０３ｍ、ｄ＝０．１ｍ、Ｄ＝１０ｍとすると、Δφ＝５０．２４｛０．０３×（０．１／１０）｝＝０．０１５ラジアン＝０．９°となる。搬送波の伝搬位相差Δφの測定精度はπ/4ラジアンの１００分の１すなわち±０．００８ラジアン＝±０．４５°程度が実現可能であるので、測定精度は１０ｍ先で±３ｃｍ程度となる。すなわち、アンテナ２１ａと２１ｂの間隔が３ｃｍの場合、１０ｍ先の発信手段の位置が±３ｃｍの精度で検知できることになる。
次に、伝搬位相差Δφを拡散符号の位相差で測定する場合を検討すると、拡散符号の伝搬速度を４Ｍｂｐｓとすると、λ＝７５ｍとなり、ｒ＝０．４ｍ、ｄ＝１ｍ、Ｄ＝１０ｍとすると、Δφ＝０．０８４｛０．４×（１／１０）｝＝０．００３４ラジアン＝０．２°となる。拡散符号の伝搬位相差Δφの測定精度は搬送波の位相差を測定するより少し良く±０．００６ラジアン＝±０．３４°程度が実現可能であるので、測定精度は１０ｍ先で±４５ｃｍ程度となる。すなわち、アンテナ２１ａと２１ｂの間隔が４０ｃｍの場合、１０ｍ先の発信手段の位置が±４５ｃｍの精度で検知できることになる。
上記の場合は、周辺の反射物の影響を考え無い理想的な場合であるが、実際には反射物の影響で測定精度が悪くなる。対策として、発信手段１と発信手段２側に円偏波指向性アンテナを用いることで反射物の影響を軽減できる他、位相差の測定を１ｍｓ／回の高速で行い１００回の移動平均をとることで、測定精度を１０倍とし±０．０４５°に向上できる。
また、発信手段１のアンテナの指向性の方向３３ａを歩道沿いと考えると、歩道からのズレｄｍを検知することで、歩道から外れたことをアラームとして出力し、歩く方向を修正することができる。
また、スペクトル拡散符号の位相差を測定することで大まかな方向の制御を行い、搬送波の位相差を測定することで精密な方向の制御をすることで相互に補完し、あるいは地磁気センサーあるいは加速度センサーなどを補助的に用いて絶対方位を測定しあるいは移動距離を積算することで方向あるいは位置の検知精度の向上を図ることができる。
また、上記とは別に距離を検知する方法として、当該発信手段１において同期しあるいは直交する複数の搬送波周波数の間でホッピングしあるいは同期しあるいは直交する複数の搬送波あるいは複数の副搬送波あるいは複数の変調信号あるいはこれらの組合わせにより複数の異なる周波数の高周波信号を生成しあるいは任意の信号により振幅変調あるいは両側帯波変調あるいは単側帯波変調しあるいは直交周波数分割多重化して複数の異なる周波数の高周波信号を生成して同時あるいは交互に発信し、当該受信手段２において当該複数の異なる周波数の高周波信号相互間の位相差を検出することで当該発信手段１と受信手段２の距離Ｄｍを受信タイミングから検知するよりもはるかに高い精度で検知できる。
例えば、当該発信手段１から発信される高周波信号の周波数がｆ０から（ｆ０＋Δｆ）にホッピングされ当該受信手段２において受信された高周波信号の搬送波の位相をそれぞれ、Ｓ１＝ＡＳｉｎ｛２πｆ０ｔ＋φ０＋２πＤ／λ０｝、Ｓ２＝ＢＳｉｎ｛２π（ｆ０＋Δｆ）ｔ＋φ０＋２πＤ／（λ０−Δλ）｝であるとする。Ｓ１およびＳ２の位相を検出すると、Φ１＝｛φ０＋２πＤ／λ０｝、Φ２＝｛φ０＋２πＤ／（λ０−Δλ）｝となるので、Φ２−Φ１＝２πＤ｛１／（λ０−Δλ）−１／λ０｝≒（２πＤ／λ０）｛（１＋Δλ）−１｝＝２πＤ（Δλ／λ０）となり、位相差（Φ２−Φ１）を検出することで距離Ｄは、Ｄ＝（Φ２−Φ１）／｛２π（Δλ／λ０）｝となり、２０ＭＨｚをホッピングさせると約３０ｃｍ当たりで１°の位相差が生じ、３６０°の位相差が生じるまでに約１００ｍの距離が検知できることになる。
そこで、位相差の測定精度を±０．０３°まで向上できれば、当該発信手段で生成されるスペクトル拡散符号を利用して長い尺度（１００ｍ単位等）とし、当該発信手段でホッピングさせることで短い尺度（１ｃｍ単位等）とし、通常の巻尺と同様な感覚で、１ｃｍ単位で１００ｍまでの距離が検知できることになる。１００ｍを越える距離は当該スペクトル拡散符号を利用して更に１００ｍ単位で延長できる。
なお、周波数がｆ０から（ｆ０＋Δｆ）にホッピングされる代わりに同期しあるいは直交する複数の高周波信号を同時にあるいは交互に切替えて発信し、当該受信手段側で当該複数の高周波信号間の位相差を検出しても同様な効果が得られる。
また、当該受信手段２に複数のアンテナを接続して切替える代わりに、当該発信手段１に複数のアンテナを接続して切替えあるいは当該複数のアンテナ毎に個別に異なるスペクトル拡散符号により拡散した高周波信号を発信し、当該受信手段１では単一のアンテナを用いて受信しても同様な効果が得られる。
また、当該発信手段１において高周波信号を拡散するスペクトル拡散符号の伝送速度を変化させて発信しあるいは伝送速度と符号系列の異なる複数のスペクトル拡散符号で拡散させて同時に発信し、当該受信手段２において当該複数のスペクトル拡散符号のタイミングあるいは振幅あるいは周波数あるいは位相あるいはこれらの組合わせをリアルタイムで検出して比較することで当該発信手段１と受信手段２の距離を測定することができる。
また、当該発信手段１のアンテナは、交差点などで周辺に反射物体が少ない場合には、無指向性にすることで交差点に向かう全てのルートで発信手段１の役割を果たすことができるが、反射物体が多い場合には、指向性を有するもの複数基を接続し指向性の方向を違えて各々を歩道あるいは横断歩道の方向に合わせあるいは各アンテナ毎に拡散符号を変えあるいは識別番号を変えることで、１台の発信手段１で道路沿いの複数の歩道あるいは横断歩道に沿って人を誘導することができる。
また、当該受信手段２が携帯端末であり、発信手段１から発信される識別番号を検知し、当該発信手段１の位置情報を知ることで自分の現在位置と進む方向を確認することができることから、当該携帯端末は、視覚障害者にも健常者にも有効な歩行者誘導システムを提供できる。一方、発信手段１を人が携帯し、受信手段２を固定することで、発信手段１を携帯する人の正確な位置を検知することができる。
また、当該発信手段１および受信手段２を固定して高周波信号の位相差の変化を監視することで、発信手段１と受信手段２との間に人物等の動く物体が存在することを感知できる。
また、当該受信手段２の指向性アンテナ２１ａ、２１ｂを複数組準備して対角線上に配置し、当該複数組の組ごとに切替えて発信手段１の存在する方向と距離を測定し、その結果を用いて当該発信手段１を追尾しあるいは追跡することができる。
また、当該発信手段１を常時待機状態としておき、当該受信手段２からの無線信号による要求に応じて、当該高周波信号を連続あるいはバースト状に発信することで、電波の有効利用と電力消費の低減が図れる。なお、この目的のため、２．４ＧＨｚ帯のブルートウースを採用することが効果的である。
また、当該発信手段１から発信され当該受信手段に直接伝搬される高周波信号と地面あるいは側壁で反射されて伝搬される高周波信号が干渉して生じるいわゆるマルチパスによる方向測定の誤差は、スペクトル拡散方式を採用することと当該指向性アンテナに円偏波指向性アンテナを採用することと当該発信手段あるいは受信手段に複数の円偏波指向性アンテナを設けることで影響を削減できることが確認されている。
また、当該受信手段２のアンテナ２１ａ、２１ｂを複数の指向性アンテナとし、指向性の方向をほぼ同じにして当該搬送波の波長より短い間隔で設置して１組とし更に複数組を当該拡散符号のチップ長さより短い間隔で設置し、あるいは複数のアンテナの指向性を徐々に変えながら当該搬送波の波長より短い間隔で円形状あるいは角形状あるいは任意の形状に沿って配置することによってマルチパスの発生方向を分析することでマルチパスの影響を削減できることも確認されている。
また、当該発信手段１から当該受信手段２に向かう高周波信号の伝搬路内あるいは周辺に反射物体が存在する場合には、減衰特性を有する塗料あるいは板材あるいは膜材などを塗布あるいは接着あるいは取り付けることでマルチパスの影響を軽減できる。なお、当該発信手段１および当該受信手段２のアンテナとして円偏波指向性アンテナを用いる場合当該発信手段から当該受信手段に向かう伝搬路の周辺あるいは伝搬路内あるいは伝搬路に沿って反射物体が存在する場合当該反射物体により生じる１回目の反射に対しては偏波面が異なるため減衰が生じるが２回目の反射に対しては元の偏波面に戻るので減衰が少なくなる欠点があるが当該反射物体に対策を施すと２回の反射によって２倍の減衰（例えば１回当たり３ｄBの減衰増加として２×３＝６ｄBの減衰増加）が得られる利点がある。
また、当該発信手段１に接続された複数のアンテナの指向性が特定の経路あるいは方向に沿って向けられておりあるいは複数の放射素子を持つ漏洩同軸ケーブルが特定の経路あるいは方向に沿って設置され、当該複数のアンテナあるいは漏洩同軸ケーブルから発信される高周波信号の搬送波の周波数が同一であるかあるいは一定の誤差以内に保持されており当該複数個のアンテナあるいは漏洩同軸ケーブルから当該高周波信号が発信されるタイミングが交互に切替えられあるいは特定方向に沿って順次行われ歩行者あるいは移動体あるいは飛行体の進行方向を誘導するために用いられる。
また、当該発信手段１のアンテナあるいは開口面が当該搬送波の半波長間隔で連続して設けられた漏洩同軸ケーブルが複数組設けられ当該発信手段から発信される高周波信号に当該組ごとに異なる特性例えば安全地帯と危険地帯を示す符号あるいは信号が重畳されており当該受信手段が当該高周波信号が発信された方向を当該組ごとに検知することにより当該発信手段の現在地点あるいはエリアが安全地帯であるか危険地帯で有るかを検知することができる。
また、当該発信手段１のアンテナとして、駅のプラットホームの端など安全地帯と危険地帯の境界線に沿って漏洩同軸ケーブル２本を平行に設置し、一方のケーブルに安全信号を他方のケーブルに危険信号を流すことによって視覚障害者に対して駅のプラットホームの端あるいは安全地帯と危険地帯を検知させ識別させることができ、あるいは指向性アンテナを用いて横断歩道の中央方向に沿って安全信号を流し両端方向に沿って危険信号を流すことによって横断歩道から逸脱せずに渡らせることができる。
また、当該発信手段１と受信手段２が同一の移動体に搭載されあるいは装着されあるいは移動体により携帯され当該発信手段１のアンテナが円偏波指向性アンテナであり当該受信手段２のアンテナが当該発信手段１とは逆旋回の円偏波指向性アンテナであり当該発信手段１から発信された高周波信号が当該移動体の周辺に存在する反射物体から反射されて当該受信手段で受信される高周波信号の振幅あるいは周波数あるいは位相あるいはこれらの組合わせを測定しあるいは当該受信手段２での受信が妨害された場合には当該発信手段１から発信される高周波信号の拡散符号を変更して当該高周波信号の振幅あるいは周波数あるいは位相あるいはこれらの組合わせを測定することで当該移動体が進行する方向の障害物を検知することができる。
また、当該複数の搬送波信号を直交させるために直交周波数分割多重（ＯＦＤＭ）方式を採用しあるいは当該変調信号あるいは拡散符号により両側帯波変調あるいは単側帯波変調をすることで同様な効果が得られる。
【実施例２】
【０００９】
図２は本発明の他の実施例を示す概念図であり、１は発信手段、２は受信手段、２１ａ、２１ｂ、２１ｃ、２１ｄは指向性アンテナ、３１は当該発信手段１のアンテナの指向性パターン、３１ａ、３１ｂ、３１ｃ、３１ｄは発信手段１から受信手段２のアンテナ２１ａ、２１ｂと２１ｃ、２１ｄへ向けた方向線、３２ａ、３２ｂと３２ｃ、３２ｄはアンテナ２１ａ、２１ｂと２１ｃ、２１ｄの指向性パターン、２２ａは外部のアンテナ切替合成器、２２ｅは受信手段２と外部のアンテナ切替合成器２２ａとの接続ケーブル、３３ａは指向性３１の延長線、３３ｂ、３３ｃは指向性３２ａ、３２ｂと３２ｃ、３２ｄの中心線、３４ａ、３４ｂ、３４ｄ、３４ｅは寸法線である。
図２において、発信手段１からはアンテナの指向性３１の方向にスペクトル拡散符号で拡散された高周波信号が放射されており、受信手段２には内蔵するアンテナ２１ａと２１ｂの他に外部のアンテナ２１ｃと２１ｄを設け間隔３４ａ離して接続ケーブル２２ｅにより接続されており、アンテナ２１ｃと２１ｄは外部のアンテナ切替合成器２２ａにより切替あるいは合成されている。
当該受信手段２において、当該アンテナ２１ａと２１ｂおよび２１ｃと２１ｄを周期的に切替えあるいは組合わせを変えながら受信した高周波信号の方向線３１ａと３１ｂおよび３１ｃと３１ｄの長さの差から当該高周波信号の振幅あるいは周波数あるいは位相あるいはこれらの組合わせの変化を測定し、当該アンテナ２１ａ、２１ｂと２１ｃ、２１ｄ各々から当該発信手段１を見た方向を検知すると、当該アンテナ２１ａ、２１ｂと２１ｃ、２１ｄの間隔３４ａが既知であるので、当該発信手段１と受信手段２との距離３４ｂが検知できることになる。
ここで、当該受信手段に８ビットのＡ／Ｄコンバータを用いた場合に方向の測定精度が±１°以下であるが、１０ビット以上のものを用いると±０．１°にまで精度を上げるこができるので、当該発信手段１と受信手段２との距離３４ｂも高精度で検知が可能である。
また、当該発信手段１の位置が既知であれば、三角法によって当該受信手段の位置が検知できる。
また、当該受信手段２に複数のアンテナを間隔を置いて設置して切替える代わりに、当該発信手段１に複数のアンテナを間隔を置いて設置して切替えることでも同様な効果が得られる。
また、当該発信手段１の指向性アンテナが歩道あるいは横断歩道あるいは車道あるいは車道のレーンあるいはバリヤフリー道路あるいは移動体の移動可能な幅のほぼ中央に設置され、当該受信手段２の複数組のアンテナを当該移動体の幅の中心あるいは両端に設け当該移動体の幅の中心が向いている方向と当該発信手段が設置された方向とのズレを検知し当該移動体が移動する場合の移動範囲を制御しあるいは誘導することができる。
また、当該受信手段２の２組のアンテナが移動体の幅の間隔で進行方向あるいは後方向の両側に設けられあるいは歩行者の両肩あるいは両胸あるいは左右方向あるいは上下方向に任意の間隔を置いて設けることで同様な効果が得られる。
【実施例３】
【００１０】
図３は本発明の他の実施例を示す概念図であり、１は発信手段が例えば人工衛星の場合、２は受信手段、２１ａ、２１ｂ、２１ｃ、２１ｄは指向性アンテナ、２２ａは外部のアンテナ切替合成器、２２ｂは接続ケーブル、３１は当該発信手段１のアンテナの指向性パターン、３１ａ、３１ｂは発信手段１から受信手段２のアンテナ２１ａ、２１ｂと２１ｃ、２１ｄへ向けた仮想の方向線、３１ｃ、３１ｄ、３１ｅは発信手段１から反射物または中継手段４１ｂで反射され受信手段２のアンテナ２１ａ、２１ｂと２１ｃ、２１ｄへ向けた方向線、３２ａ、３２ｂ、３２ｃ、３２ｄはアンテナ２１ａ、２１ｂと２１ｃ、２１ｄの指向性パターン、３３ａは発信手段１の対地方向線、３３ｂは受信手段２の対空方向線、３３ｃは発信手段１の高さの引出線、３３ｄは反射物または中継手段４１ｂの高さの引出線、３３ｅは反射物または中継手段４１ｂの対地方向線、３４ａ、３４ｂ、３４ｃ、３４ｄは寸法線、４１ａは遮蔽物、４１ｂは反射物または中継手段、４２ａは反射物あるいは中継手段４１ｂが発信手段１を仰ぐ角度、４２ｂは受信手段２から反射物または中継手段４１ｂの反射点を仰ぐ角度である。
発信手段１が例えばＧＰＳ用の人工衛星であるとし、説明を簡略化するために２次元の平面を考えて、受信手段２の真上近くにあり、発信手段１から発信される高周波信号が遮蔽物４１ａにより遮蔽されており方向線３１ｃを経由して反射物または中継手段４１ｂで反射されあるいは中継された点への方向線３１ｄと３１ｅを経由して受信手段２のアンテナ２１ａ、２１ｂと２１ｃ、２１ｄにより受信されているとする。ここで、発信手段１が十分遠方に位置するときには、受信手段２が発信手段１を仰ぐ角度は反射物あるいは中継手段４１ｂが発信手段１を仰ぐ角度４１ａとほぼ同じであるとする。
発信手段１は一定速度で移動しており、時間毎の緯度と経度および高度が正確に判明しているものとすると、受信手段２にとっては、自分の位置情報の記録から発信手段１を仰ぐ角度をβ°とし現時点での概略値も判明しているものとする。
受信手段２においてアンテナ２１ａ、２１ｂと２１ｃ、２１ｄを用いて高周波信号が到来している方向と距離を測定した場合に、仰ぐ角度４２ｂがα°であり距離がＬｍであるとすると、発信手段１から発信された高周波信号が直接到来したときの距離と反射物あるいは中継手段４１ｂで反射されあるいは中継された到来した時との距離の差ΔＸは、ΔＸ＝ＬＣｏｓ（α＋βー９０°）×Ｃｏｔβから求められる。
ここで、説明を簡略にするために、２次元の場合について説明したが、指向性アンテナを各々４基、合計８基設けて３次元の方向と距離を測定することであらゆる方向に存在する反射物あるいは中継手段４１ｂからの反射波あるいは回折波に対して距離の補正を行うことができる。
また、当該複数の指向性アンテナ２１ａ、２１ｂ、２１ｃ、２１ｄの水平度が変動する時には重力センサーを用いて補正し、当該複数の指向性アンテナ２１ａ、２１ｂ、２１ｃ、２１ｄの位置関係については地磁気センサーを用いて補正することが出来る。
また、当該発信手段１が人工衛星でなく道路沿いあるいは横断歩道などの地上に設置された場合でも、移動平均によって発信手段１の概略の位置を記憶しておれば、当該反射物あるいは中継手段４１ｂの方向と距離を測定することで当該発信手段１との正確な距離を算出することができる。
また、当該受信手段２のアンテナを３基以上を一組とし、例えば前中後あるいは左中右あるいは上中下あるいはこれらの組合せの方向に当該高周波信号の波長の４分の１波長程度離して配置すると、隣接する２基のアンテナ間の位相差を測定することで中心線から±９０°の方向が検知でき、次隣接の２基のアンテナ間の位相差を測定することで中心線から±４５°の方向が検知できる。
また、当該受信手段２の１組内のアンテナの間隔を大きくすると方向を測定する精度は向上するが測定できる範囲が狭くなるので、先ず近接するアンテナ間の位相差を測定して大まかな方向を検知し間隔の大きいアンテナ間の位相差を測定して精度を上げていく方法を採ることでダイナミックレンジの大きい位置あるいは方向の測定が可能となる。
また、当該受信手段２が１台で複数組のアンテナを切替えて測定する場合について説明したが、複数台の受信手段を用いても同様な効果が得られる。
また、当該中継手段４１ｂの帯域幅を広くして遅延時間を無視できる程度に小さくすると、反射物と同一のものとして取扱うことができる。なお、複数の人工衛星からの高周波信号が全て同一の中継手段を経由して受信される場合には当該中継手段の遅延時間を無視することができる。
また、当該発信手段が人工衛星などの高空にあり当該障害物あるいは反射物あるいは中継手段が比較的に近距離（実験の結果ではほとんどの場合５０ｍ以内のものが誤差に与える影響が大きいことが分かっている）にある場合には、当該発信手段の現在の位置あるいは仰ぐ角度などの誤差が当該補正する距離に影響する程度は無視できる程に小さくなる。
【実施例４】
【００１１】
図４は本発明の受信手段の実施例を示す構成図であり、２は受信手段、２１ａ、２１ｂは指向性アンテナ、２２はアンテナ切替合成器、２３は受信機、２４は信号検出制御部、２５は操作表示部、６１はアナログデジタル変換器、６２は信号検出器、６３は基準発振器、２０１、２０２、２０３は接続端子である。
アンテナ切替部２２は発信手段から発信される測定用拡散符号を受信する間にアンテナ２１ａと２１ｂを切替えるためのものであり接続端子２０２を介して信号検出器６２により駆動され、受信機２３は受信した高周波信号を中間周波信号あるいはベースバンド信号に変換した後接続端子２０１を介して信号検出制御部２４に受信出力信号を出力する。
当該受信出力信号は基準発振器６３に同期してアナログデジタル変換器６１によりデジタル信号に変換され、信号検出器６２に入力される。信号検出器６２では１周期分の固定相関器との相関がとられ、Ｓｉｎ、Ｃｏｓのルックアップテーブルとの積和演算あるいは高速フーリエ変換あるいはその他の方法によって振幅スペクトルと位相スペクトルが検出され、当該振幅スペクトルと位相スペクトルから信号検出器６２によって当該受信出力信号のタイミングあるいは振幅あるいは周波数あるいは位相あるいはこれらの組合わせをリアルタイムで検出することができる。
当該振幅スペクトルによって受信出力信号のなかで固定相関器と相関が大きい信号の振幅が検出され、当該位相スペクトルによってその搬送波の位相が検出される。そこで、指向性アンテナ２１ａと２１ｂの間隔を発信手段から発信される高周波信号の搬送波の１波長以下とし交互に切替えながら当該振幅スペクトルが閾値を越える時に位相スペクトルを検出すると、当該アンテナ２１ａと２１ｂとの間の位相差から当該発信手段が位置する方向が検出できることになる。
ここで、当該アナログ／デジタル変換器は４ビット程度のものを用い数十回の測定の移動平均値を求めることで、各アンテナ毎の拡散符号の進み信号と遅れ信号の差を１/１００以上の精度で読み取ることができるので、各拡散符号の１ビットの長さを０．２５μｓとすると位相差を０．２５ｎｓ（７．５ｃｍ）以下の精度で検出することができ、搬送波の周波数を２．４ＧＨｚとすると波長の長さλ＝１２．５ｃｍであるので搬送波の位相差を０．０１ラジアン（０．２ｍｍ）程度の精度で検出でき、アナログ／デジタル変換器６１として８ビット以上のものを用いることで更に精度を向上させることができる。
また、当該受信手段２の指向性アンテナの方向を左右あるいは上下に大きく振り回し当該振幅スペクトルを検出することで当該発信手段から受信する入力電力の大きさが最大となる方向を検知することで上記の位相差を測定する機能を補完することができる。
また、当該受信機２３にＡＧＣ機能を搭載し、当該振幅スペクトルが飽和しないように受信機２３の利得を抑えることができる。
また、当該受信手段２の受信機がＬｏｗｅｒ  ＩＦ方式あるいはダイレクトコンバージョン方式の場合には当該受信機の出力信号を拡散符号の伝送速度と同一の周波数の中間周波数に変換することで信号検出器６２の演算を容易にすることができる。
また、従来のように受信機の出力信号を処理するのにデジタルシグナルプロセッサーを用いると電力消費が大きくなるのに対して、高周波で動作する高周波論理回路を採用することでリアルタイムでの分析が可能であり電池の寿命を延長することができる。
また、周波数スペクトルを検出するために分解能に応じて必要な数の高速で動作する高周波論理回路を設け当該高周波論理回路を用いて積和演算を行いあるいは高速フーリエ変換を行いあるいは当該デジタル信号から振幅スペクトルあるいは位相スペクトルあるいはこれらの両方を検出しあるいは任意の期間の平均をとりあるいは窓関数を設けて演算を行いあるいは任意のサンプリング数毎あるいは任意のサンプリング周期数毎に検出結果を時系列ならべあるいはタイムスタンプを付して出力しあるいはこれらを組合わせることができる。
また、当該受信機の出力信号を当該基準発振器に同期して変換したデジタル信号を多段のシフトレジスタに蓄積し当該シフトレジスタから整数の間隔をおいて少なくとも４段を選択して１組とし複数の整数について選択して複数組のデジタル信号を生成しあるいは当該受信機の出力信号を基準発振器と同期して複数種類のサンプリング周期でデジタル信号に変換し当該サンプリング周期毎にシフトレジスタに蓄積して複数組のデジタル信号を生成し当該複数組のデジタル信号を積和演算しあるいは高速フーリエ変換して必要な分解能を確保することができる。
また、当該高速で動作する高周波論理回路が少なくとも４段のシフトレジスタとエックスクルージブオア回路と加算器から構成され当該デジタル信号とＳｉｎおよびＣｏｓのルックアップテーブルとの積和演算を行うことができる。
また、当該タイミングあるいは振幅あるいは周波数あるいは位相あるいはこれらの組合せをリアルタイムで検出するために用いるＳｉｎのルックアップテーブルが０、１、０、−１、あるいは１、１、−１、−１、あるいはこれらの整数倍あるいは整数分の１の繰り返しでありあるいはＣｏｓのルックアップテーブルが１、０、−１、０あるいは１、−１、−１、１、あるいはこれらの整数倍あるいは整数分の１の繰り返しでありあるいは積和演算を行う際の−１の乗算は当該デジタル信号の補数を求めあるいはこれらの組合わせることで当該高周波論理回路を単純化できる。
【実施例５】
【００１２】
図５は本発明の信号検出器の基本構成を示す図であり、５１は発信手段がバースト状に発信するスペルトル拡散符号、５２はシフトレジスタ、５３は受信手段で生成されるスペクトル拡散符号１周期分の固定レジスタ、５４はΣＳｉｎ積和演算器、５５はΣＣｏｓ積和演算器、５６は発信手段と受信手段間の遅延時間、５７は振幅スペクトル検出器、５８は位相スペクトル検出器、５９、６０は出力端子である。
当該発信手段において発信されるスペクトル拡散符号５１の１周期分あるいは１符号長分が例えばＭ系列８チップで構成されているものとする。
当該拡散符号５１が発信され当該受信手段において受信されデジタル信号に変換された後にシフトレジスタ５２に順次入力され２つの出力に分岐される。１周期分の固定相関器５３において、当該シフトレジスタ５２に入力されたデジタル信号とクロック周期毎に相関がとられ、その結果は、ΣＳｉｎ積和演算器５４によりＳｉｎのルックアップテーブルと掛算され加算され、更に、ΣＣｏｓ積和演算器５５によりＣｏｓのルックアップテーブルと掛算され加算される。
当該ΣＳｉｎ積和演算器５４の出力とΣＣｏｓ積和演算器５５の出力は、振幅スペクトル検出器５７によって、例えば、各々２乗して加算し平方根を求めあるいは各々の絶対値を加算しあるいは各々のピーク値を加算することで振幅スペクトルが検出され接続端子５９から出力され、位相スペクトル検出器５８によりお互いの比を求めることで位相スペクトルが算出され接続端子６０から出力される。
当該発信手段と受信手段間の遅延時間５６は当該発信手段が発信したスペクトル拡散符号５１の１周期分が受信手段のシフトレジスタ５２に入力されるまでの主として受信手段の遅れ時間により生じるものであり、何らかの反射物により反射されあるいは障害物により回折されて受信される複数のスペクトル拡散符号は各障害物あるいは反射物毎に必ず発信手段のスペクトル拡散符号５１の１周期分が順番にシフトレジスタ５２に入力され１周期分が揃ったところで相関出力が最大となるので、当該障害物あるいは反射物による遅延時間が拡散符号のチップ長さを単位として検出することができる。
かくして、何らかの障害物あるいは反射物からの反射されあるいは回折されてマルチパスが生じ、順次受信されるスペクトル拡散符号５１に応じてΣＳｉｎ積和演算器５４とΣＣｏｓ積和演算器５５からベクトルに応じた出力が順次出力されるので、振幅スペクトル検出器５７の出力の閾値を越え次に出力が閾値を越えるまでのクロック数をカウントすることで反射波あるいは回折波が到達した時間が計測でき、当該振幅スペクトル検出器５７の出力で反射あるいは回折の強さが検知でき、アンテナを切替えた際の位相スペクトル検出器５８の出力から当該障害物あるいは反射物の方向あるいは高さあるいは深さが検知できる。
ここで、当該スペクトル拡散符号５１のチップ長と当該高周波信号の搬送波あるいは副搬送波あるいは中間周波信号の波長とを比較して何れか周波数が高い方の２倍以上の周期（４倍の周期が望ましい）でデジタル信号に変換する。
【実施例６】
【００１３】
図６は本発明の発信手段の実施例を示す構成図であり、１は発信手段、１１は指向性アンテナ、１０１はアンテナスイッチ、１０２は送信機、１０３は受信機、１０４は制御部、１０５はバッテリー、１０６は太陽電池、１０７は発光体、１０８は指向性パターンである。
指向性アンテナ１１は、発信手段１の内部に封入されており、単一放射パターンあるいは８字放射パターン等要求の指向性パターン１０８を有しており、アンテナ１１の出力端子はアンテナスイッチ１０１を介して送信機１０２および受信機１０３に接続されている。
送信機１０２受送信機１０３は制御部１０４で制御されており、例えば、常時は受信機１０３は間欠受信状態であり、受信手段からの発信要求を受けると一定期間送信機１０２を起動しアンテナスイッチ１０１を切替えてアンテナ１１から高周波信号を発信する。
一方、オプション機能として、太陽電池１０６により発電された電力はバッテリー１０５に蓄電され各部に電力を供給し、発光体１０７は夜間に当該発信手段１の存在を示すためあるいは変調器１２２が起動されたこと等を示すために間欠点灯させ、当該発信手段１を構成するすべての部分は防水ケースに収納し耐圧力、耐衝撃、耐振動性能を有するものとすると、道路面表面、歩道表面、あるいは床面に埋め込まれて設置される他に、専用の柱、街路灯柱、電力線柱、通信線柱、壁、天井あるいはその他の建造物に取り付けつけて使用される。
また、当該発信手段１の指向性アンテナ１１の代わりに複数の指向性アンテナを搬送波の１波長以下の間隔を置いて設置しアンテナ切換合成器により交互に切替えられ、各指向性アンテナ毎に識別番号を変えあるいは拡散符号を変えて発信する。受信手段では単一のアンテナで受信し現在受信中の高周波信号が発信されるアンテナを特定すると共に当該発信手段が位置する方向を検知することができる。
【実施例７】
【００１４】
図７は本発明の受信手段の構成例を示す斜視図であり、２は受信手段、２１ａ、２１ｂ、２１ｃ、２１ｄは指向性アンテナ、３０１はレドーム、３０２ａ、３０２ｂは指向性アンテナの間隔である。
受信手段２は片手で握りやすい筒状あるいは取っ手付き筐体あるいは携帯に便利な構造に収納されており、前面に設けられたレドーム３０１の中に指向性アンテナ２１ａ〜２１ｄが収納されており、当該指向性アンテナ２１ａ〜２１ｄは同一方向に指向しておりアンテナ切替合成器で切替えられあるいは合成され受信手段２に内蔵されている受信機に接続されている。
指向性アンテナ２１ａ、２１ｄと指向性アンテナ２１ｂ、２１ｃとの間の長さ３０２ａと指向性アンテナ２１ａ、２１ｂと指向性アンテナ２１ｃ、２１ｄとの間の長さ３０２ｂは例えば当該受信手段が受信する高周波信号の搬送波の４分の１の長さ程度に設定されている。
当該指向性アンテナ２１ａ〜２１ｄの指向性の方向を付近に存在する発信手段の方向に向けると、当該指向性アンテナ２１ａ〜２１ｄの中心線が当該発信手段の方向と一致している時は各指向性アンテナに入力する当該高周波信号の搬送波の位相は完全に一致しておりこれらの指向性アンテナを切替えて受信した高周波信号の搬送波の位相差は僅少であるが、当該中心線が当該発信手段の方向からづれると当該指向性アンテナを切替えた際の当該搬送波の位相差が大きくなる。
例えば、当該中心線が当該発信手段の方向から左右にずれると、指向性アンテナ２１ａと２１ｂとの間と指向性アンテナ２１ｃと２１ｄとの間の当該搬送波の位相差は僅少であるが、指向性アンテナ２１ａと２１ｄとの間と指向性アンテナ２１ｂと２１ｃの間の当該搬送波の位相差は大きくなる。４基の指向性アンテナの間隔は当該高周波信号の４分の１波長に設定されているので、当該中心線の方向が当該発信手段の方向から左右に±９０°づれたとき当該搬送波の位相差が±９０°づれることになる。
逆に、当該中心線が当該発信手段の方向から上下にずれると、指向性アンテナ２１ａと２１ｄとの間と指向性アンテナ２１ｂと２１ｃとの間の当該搬送波の位相差は僅少であるが、指向性アンテナ２１ａと２１ｂとの間と指向性アンテナ２１ｃと２１ｄの間の当該搬送波の位相差は大きくなる。４基の指向性アンテナの間隔は当該高周波信号の４分の１波長に設定されているので、当該中心線の方向が当該発信手段の方向から上下に±９０°づれたとき当該搬送波の位相差が±９０°づれることになる。
なお、方位を精度良く検知する為には当該受信手段２のアンテナ３２ａと３２ｂの間のアイソレーションを高めることで測定の精度を高められることが実験で確かめられている。
一方、対角線上にある指向性アンテナ２１ａと２１ｃとの間と指向性アンテナ２１ｂと２１ｄとの間では左右あるいは上下の何れの方向にづれても当該搬送波の位相差が大きくづれることになる。
当該高周波信号の搬送波の位相差を測定するとき位相差が±９０°を越えると当該中心線の方向を特定するのが難しくなるのでこの範囲を越えないことが条件となるが、上記のように配列すると当該搬送波が後ろ方向から到来しない限りこの範囲を越えることはない。当該搬送波が後ろ方向から到来する場合には、地磁気センサなどを補助的に用いて判定することが可能である。
本発明の受信手段を方向者が懐中電灯を照らす要領で前方をサーチすると、発信手段が存在する方向が精度よく測定できるので、当該発信手段のアンテナの指向性を安全な歩道に沿って指向させれば、歩行者が当該発信手段の指向性の方向に沿って当該発信手段の方向に正確に歩行できるので、安全な歩行が確保できることになる。
以上の説明では４基の指向性アンテナを用いるとしたが、２基以上の任意の組合せで目的に応じた受信手段が実現できる。特に、当該指向性アンテナの間隔を当該搬送波の波長の４分の１より大きくして例えば２分の１波長とすると、当該中心線の方向と当該発信手段の方向が±３０°づれると、当該搬送波の位相差が±９０°になることから更に高精度の測定が可能となる。
ここで、高周波信号の搬送波の周波数として２．４ＧＨｚ帯を用いると、指向性アンテナ４基を装着するときでもレドームの直径が６ｃｍ程度となり、大型の懐中電灯と同程度の大きさとなるので、歩行者が携帯して利用でき利便性が大なる歩行者支援のための装置が実現できる。
また、当該受信手段２に発信手段への発信要求信号を発信する手段を搭載することで当該発信手段を常時待ち受け状態にできるので、電波の有効利用を図ると共に、当該発信手段の電力消費を低減し太陽電池などによって駆動することが可能となる。
また、当該受信手段２に重力センサーを組込み指向性アンテナの内左右方向に位置するものと上下方向にあるものとを識別することで当該受信手段を携帯する際に余分な注意を省略できるメリットがでる。
また、当該受信手段２の複数のアンテナを位相合成しアンテナの指向性を制御して当該発信手段を方向をサーチすることで取扱あるいは操作を容易にすることが可能となる。
また、当該受信手段２に複数のアンテナを設ける代わりに、発信手段側に複数のアンテナを設けアンテナ切換合成器により切換えて高周波信号を発信し、当該受信手段２において単一あるいは複数のアンテナを用いて受信することによって発信手段側の複数のアンテナ間で高周波信号の位相差を測定することによって当該発信手段が設置された方向を検知することも可能である。
また、当該受信手段２の複数のアンテナを切替える際に切替順序を常に２１ａから順に２１ｄまで一方向に切替える代わりに２１ｄから順に２１ａまで逆方向に切替えることを交互に行い検出した位相差を差し引くことで、基準発振器の周波数変化あるいは回路の伝達時間あるいは伝達位相の変化等によって生じる基礎的な誤差を削除することができる。
また、当該発信手段のアンテナが歩道に沿って設置されあるいは横断歩道の安全地帯に設置された場合に、右側が危険で左側が安全であれば右側通行が可能であると判断して誘導することで視覚障害者でも安全に歩行が可能となる。
また、当該受信手段２に設けられあるいは接続された表示装置あるいは音声装置において予め設定された基準方向を当該受信手段２を所持しあるいは設置された移動主体が現在向いている方向とし当該移動主体が目的として進行すべき方向を表示しあるいは指し示しあるいはアナウンスすることによって当該移動主体が方向転換を容易にすることができる。
また、当該受信手段２をヘッドランプ状に頭に装着しあるいは胸のベストに装着することでハンドフリーな使用が可能となる。
また、当該受信手段２のアンテナを２個並べると、２．４ＧＨｚの場合、幅が３ｃｍ、長さが６ｃｍ程度となりめがねの大きさ程度となるので左右方向の検知にはめがね状に装着することも可能である。
【実施例８】
【００１５】
図８は本発明のアンテナ切替合成器の他の実施例を示す構成図であり、２１ａ、２１ｂはアンテナ素子、２２はアンテナ切替合成器、２２３ａ、２２３ｂは遅延回路、２２４ａ、２２４ｂはサーキュレータ、２２５はアンテナスイッチ、２２６は２分岐器、２２７は相関器（Ｎ−１）、２２８ａ、２２８ｂ、２２８ｃは接続端子である。ここで、アンテナ２１ａと２１ｂの間は高周波信号の搬送波の波長のλ／４とする。
本アンテナ切替合成器２２は、中継手段あるいはパッシブタグに対応するものであり、接続端子２２８ａには発信手段が接続され、例えば、２．４ＧＨｚ帯でスペクトル拡散符号（Ｎ）により拡散された高周波信号が印加されている。当該高周波信号は、２分岐器２２６により２分岐され、サーキュレータ２２４ａ、２２４ｂを経由して、大部分は遅延回路２２３ａ、２２３ｂで遅延されアンテナ２１ａ、２１ｂから空間に放射されるが、一部はアンテナスイッチ２２５に回り込んでいる。
一方、アンテナ２１ａ、２１ｂで受信された高周波信号は、遅延線２２３ａ、２２３ｂで遅延されサーキュレータ２２４ａ、２２４ｂを経由してアンテナスイッチ２２５により切替えられ、３分岐器２２６ｂにより３分岐され各々相関器２２７ａ、２２７ｂ、２２７ｃにより接続端子２２８ｅ、２２８ｆ、２２８ｇから入力されるスペクトル拡散符号との相関がとられ、接続端子２２８ｂ、２２８ｃ、２２８ｄから出力されている。
接続端子２２８ａに印加された高周波信号（ＰｄＢｍ）の一部がアンテナスイッチ２２５に回込む電力は、Ｐ−３ｄＢ−２０ｄＢ＝Ｐ−２３ｄＢ程度である。更に、相関器２２７ａは接続端子２２８ａに印加されたペクトル拡散符号（Ｎ−１）との相関をとるように設けられており、当該回り込む高周波信号はスペクトル拡散符号（Ｎ）により拡散されているので、相関器２２７ａはスペクトル拡散符号（Ｎ）と（Ｎ−１）との相関をとることになり、当該回り込む高周波信号は１０ｌｏｇ（Ｗ１／Ｗ２）ｄＢの改善される。
ここで、Ｐは接続端子２２８ａに印加された高周波信号の電力であり１０ｍＷとし、Ｗ１は発信手段のスペクトル拡散帯域であり５０ＭＨｚとし、Ｗ２は受信手段の中間周波信号の帯域幅で１０Ｈｚとすると、接続端子２２８ｂに回り込む高周波信号の電力は、１０ｄＢｍ−２３ｄＢ−１０ｌｏｇ（５０ＭＨｚ／１０Ｈｚ）＝−８０ｄＢｍとなる。
遅延線２２３ａ、２２３ｂは、当該高周波信号がアンテナ２１ａ、２１ｂから空間に放射され中継手段により中継されて再度アンテナ２１ａ、２１ｂで受信されサーキュレータ２２４ａ、２２４ｂに到達した時に、スペクトル拡散符号（Ｎ）が（Ｎ−１）にまで遅れるようにするためのものであり、スペクトル拡散符号の１／２チップ分の遅延量が最低限必要である。
中継手段が折返し中継の際に２０ｄＢの増幅度があるとし、発信手段と受信手段のアンテナ２１ａ、２１ｂの利得が発信時１４ｄＢｉ、受信時９ｄＢｉ、中継手段のアンテナ利得が受信時と発信時ともに１１ｄＢｉ、受信手段の最低入力レベルをー６０ｄＢｍとすると、片道の許容損失は約６９ｄＢとなり、当該発信手段と中継手段との間の間隔は約３６ｍが許容される。
なお、遅延回路２２３ａ、２２３ｂによる遅延量は、スペクトル拡散符号の伝送速度を５０Ｍｂｐｓとすると、２０ｎｓｅｃの半分の１０ｎｓｅｃ以上が必要である。
また、接続端子２２８ａには無変調の高周波信号を印加し中継手段でスペクトル拡散を行い折り返しても同様な効果がえ得られるが、この場合には、遅延回路２２３ａ、２２３ｂは不要である。
また、接続端子２２８ａを複数の接続端子とし各々に異なるスペクトル拡散符号により拡散された高周波信号を印加し２分岐器２２６を削除してサーキュレータ２２４ａと２２４ｂに接続し、相関器（Ｎ−１）２２７のスペクトル拡散符号をアンテナスイッチ２２５と連動させて当該発信手段側の２種類のスペクトル拡散符号に切替えることで同様な効果が得られる。
【実施例９】
【００１６】
図９は本発明の中継手段の実施例を示す構成図であり、１は中継手段、１１ａ、１１ｂは指向性アンテナ、１２１は帯域通過フイルタ、１２２は変調器、１２３は信号発生器、１２４は増幅器、１０５はバッテリー、１０６は太陽電池、１０７は発光体、１０８ａ、１０８ｂは指向性パターンである。
中継手段１は発信手段の一つの形態であり受信した高周波信号を変調し増幅して再発信する。当該中継手段１は、指向性アンテナ１１ｂ、帯域通過フイルタ１２１、変調器１２２、信号発生器１２３、増幅器１２４および指向性アンテナ１１ａから構成されている。
指向性アンテナ１１ａと１１ｂは、例えば、お互いに逆旋回の円偏波指向性アンテナであり必要な結合損が得られるように間隔を空けて設けられており、放射パターン１０８ａと１０８ｂは通常平行する方向に向けられている。
当該指向性アンテナ１１ｂの出力端子は帯域通過フイルタ１２１により帯域が制限されて変調器１２２に接続されており、当該変調器１２２において信号発生器１２３により生成されたスペクトル拡散符号により拡散された副搬送波によって両側帯波変調され、当該変調器１２２の出力は増幅器１２４により増幅されて指向性アンテナ１１ａから再発信される。
変調器１２２は例えばダブルバランスミキサーを用いた両側帯波変調器であり、スペクトル拡散された副搬送波を印加すると、中心周波数の両側に副搬送波の周波数だけ離れスペクトル拡散された高周波信号が生成される。この両側に現れる二つの高周波信号の関係はお互いに直交関係にあり、この関係により当該中継手段１と受信手段との距離が検知できることになる。なお、当該変調器１２２の変調方式は両側帯波変調に限らず直交している複数の搬送波が生成できる方式であれば良く、受信した高周波信号がすでに直交している複数の搬送波を含んでいれば任意の変調方式で良い。
当該中継手段１に受信機と制御器を組込み外部の発信手段あるいは携帯電話機などから受信した信号により起動させあるいは間欠動作させることで、常時動作状態にするのに比較して電力の消費を削減することができる。
当該指向性アンテナ１１ａから変調された高周波信号を再発信するとその一部は空間で結合して指向性アンテナ１１ｂにより受信される。変調器１２２を両側帯波変調すると当該帯域通過フイルタ１２１の通過帯域幅の外に追いやることができ帯域通過フイルタ１２１により大部分が阻止されるので、増幅器１２４の利得が当該帯域通過フイルタ１２１の減衰量より少ない限り相互干渉あるいは寄生発振などを防止することができる。
指向性アンテナ１１ａと１１ｂの利得をそれぞれＧ１ｄＢとし、両者間の結合損をＬ０ｄＢとし、指向性アンテナ１１ａから発信される高周波信号の変調後の帯域幅をＷ１（ＭＨｚ）とし帯域通過フイルタ１２１の帯域幅をＷ２（ＭＨｚ）とするといわゆるプロセス利得ＰＧは、ＰＧ＝１０×ｌｏｇ（Ｗ１／Ｗ２）ｄＢとなり、増幅器１２４の利得をＧ２ｄＢとすると、当該指向性アンテナ１１ａから発信した高周波信号が指向性アンテナ１１ｂに回り込む割合即ち結合損Ｌは、Ｌ＝Ｌ０＋１０×ｌｏｇ（Ｗ２／Ｗ１）＋Ｓ  （ｄＢ）となる。ここで、Ｓは右旋回と左旋回の指向性アンテナ１１ａと１１ｂとの間の結合損であり１０ｄＢ程度が確保できる。
指向性アンテナ１１ａと１１ｂの間隔を半波長程度とするとＬ０＝２２ｄＢとなり、プロセス利得をＰＧ＝Ｗ１／Ｗ２＝１００＝２０ｄＢとし、右旋回と左旋回のアンテナ間の結合損が１０ｄＢ程度とすると、Ｌ＝２２＋２０＋１０＝５２ｄＢとなるので、増幅器１２４の利得として４７ｄＢ程度が確保できる。
携帯端末が発信する高周波電力が当該中継手段１により折り返されて再び携帯端末で受信されるまでの伝送損失Ｔは、Ｔ＝２×２０×ｌｏｇ（Ｄ／λ）ー２Ｇ１ーＧ２となる。ここで、Ｄ＝携帯端末と当該中継手段１との間の距離であり２．４ＧＨｚ帯で距離が２４ｍの時約６８ｄＢとなることから、Ｔ＝２×６８−２×９ｄＢー４７ｄＢ＝７１ｄＢとなり、この値は丁度片道の伝送損失６８ｄＢとほぼ同じであることから、あたかも当該中継手段１が自ら高周波信号を発信した場合と等価になる。
一方、太陽電池１０６により発電された電力はバッテリー１０５に蓄電され各部に電力を供給し、発光体１０７は夜間に当該中継手段１の存在を示しあるいは変調器１２２が起動されたこと等を示すために間欠点灯させる他は、発信手段と同様な効果が得られる。
また、当該変調器１２２において、スペクトル拡散された副搬送波信号を用いて振幅変調あるいは両側帯波変調を行なうことでスペクトル拡散された直交する複数の搬送波を有する高周波信号を出力でき、当該中継手段と受信手段の間の距離の検知が可能となる。両側帯波変調器として当該高周波信号の周波数帯域で直接動作するダブルバランスミキサーを用いることで回路が単純化できる。
また、当該増幅器１２４の出力の１部を直接帯域通過フイルタ１２１の入力に可変移相器および可変減衰器を介して結合し、当該指向性アンテナ１１ａの出力が指向性アンテナ１１ｂに直接回りこみ干渉する程度を監視し、当該移相器の位相を制御して回り込みをキャンセルすることもできる。
また、当該信号発生器１２３において生成する変調信号あるいは副搬送波あるいはスペクトル拡散符号に当該中継手段１の識別番号あるいは識別符号あるいはデータを含めることが可能であり、あるいは当該中継手段１の遅れ時間をデータとして含むことができる。
また、当該中継手段１を広帯域のストレートアンプとし、当該増幅器の増幅度を当該指向性アンテナ１１ａと１１ｂ間のアイソレーションより小さく設定することで、遅延時間が限りなく小さくできる。
【００１７】
以上の説明では、数値制御発振器を用いるよう説明しているがデジタルＰＬＬ回路を用いるなど等価な方法によっても同様な効果が得られる。
また、自己相関器としてデジタル方式について説明したが、アナログ方式を用いても同様な効果が得られる。
また、当該発信手段から超音波トランスデューサーあるいは超音波送波器を用いて超音波信号を発信し、当該受信手段において超音波トランスデューサーあるいは超音波受波器を用いて超音波信号を受信し、あるいは当該発信手段において発光ダイオードあるいはレーザーダイオードを用いて光信号を発信し当該受信手段においてホトダイオードを用いて光信号を受信することでも同様な効果が得られる。なお、本出願では、超音波トランスデューサーあるいは超音波送受波器と発光ダイオードあるいはレーザーダイオードあるいはホトダイオードを総称して送受波器と呼称するものとする。
また、スペクトル拡散を行なわず無変調あるいはアナログ信号あるいはデジタル信号により変調された高周波信号の搬送波の位相差を複数のアンテナを切替えて測定することでも同様な効果が得られる。
また、当該発信手段あるいは中継手段においてスペクトル拡散符号を超音波信号あるいは高周波信号あるいは光信号に直接変換して発信しても同様な効果が得られる。
また、複数のアンテナを切替える代わりに、複数のアンテナに対応する受信手段を個別に設けて受信手段間の位相差を測定することでも同様な効果が得られる。
また、当該携帯端末の周辺に歩行者等の障害物が存在するとアクテイブタグからの発信される超音波信号あるいは高周波信号あるいは光信号が遮蔽される場合がありあるいは反射されてマルチパスによる誤差の原因になるので、アクテイブタグに指向性が鋭い指向性アンテナを用い比較的に高い位置に設置し上方より吹き降ろす形指向性を向けることが望ましい。
また、複数のアンテナあるいは送受波器がケーブルにより直列あるいは並列に接続されあるいは漏洩ケーブルを構成し歩行者あるいは移動体の進行方向に沿って設置しあるいは特定エリアの周辺部に設置することで進行方向の誘導あるいは特定エリアのガイダンスを効果的に行うことができる。
また、当該発信手段において生成した光信号を当該高周波信号を副搬送波として変調し空間に放射し当該受信手段において受信した光信号から当該高周波信号を復調することで方向と距離が検知できる。
また、当該発信手段を太陽電池と蓄電用コンデンサとの一体構造とし薄型構造の防水筐体に収納することで道路表面に埋設しあるいは輸送物体の表面に貼付けることが長時間の連続運用ができる。
また、当該各手段が衛星を含む飛行物体あるいは自動車あるいは歩行者あるいはロボットを含む移動物体に搭載されあるいは装着されあるいは携帯されても同様な効果が得られる。
また、当該複数のアンテナを切替合成器により少なくとも２群に分けて出力し当該２群間の相関を求めることでも同様な効果が得られる。
また、当該受信手段あるいは発信手段あるいは中継手段あるいはこれらの任意の組合わせが複数のアンテナを有する場合、一つの手段の複数のアンテナが切替られる場合に他の手段の複数のアンテナを固定することで方向あるいは距離の検知を容易にしあるいは検知精度を維持できる。
また、当該発信手段が衝撃により発電する素子等とともにゴルフあるいは野球などの球技用ボールに組込むことで打球時あるいは蹴球時の衝撃で高周波信号の発信を起動し当該ボールの軌跡を正確に追跡することができる。
また、当該発信手段のアンテナが球形あるいは楕円球形であり内部に回路部品を組込むことで不要な高周波信号が外部に漏洩するのを抑制できる構造となる。
また、当該発信手段あるいは中継手段において商用電源から電磁誘導により供給される電力あるいは電子レンジあるいは発振器などから放射される２．４ＧＨｚ帯の高周波電力あるいは外部から加えられる振動あるいは衝撃のエネルギにより蓄電用コンデンサあるいは電池を充電することで連続運転が可能となる。
【図面の簡単な説明】
【００１８】
【図１】本発明の一実施例を示す概念図である。
【図２】本発明の他の実施例を示す概念図である。
【図３】本発明の他の実施例を示す概念図である。
【図４】本発明の受信手段の実施例示す構成図である。
【図５】本発明の信号検出器の実施例を示す構成図である。
【図６】本発明の発信手段の実施例を示す構成図である。
【図７】本発明の受信手段の構成例を示す斜視図である。
【図８】本発明のアンテナ切替合成器の実施例を示す構成図である。
【図９】本発明の中継手段の実施例を示す構成図である。
【符号の説明】
【００１９】
１                                  発信手段
２                                  受信手段
１１、１１ａ、１１ｂ                指向性アンテナ
２１ａ、２１ｂ、２１ｃ、２１ｄ      指向性アンテナ
２２、２２ａ                        アンテナ切替合成器
２３                                受信機
２４                                信号検出制御部
２５                                操作表示部
３１、                              発信手段１のアンテナの指向性パターン
３１ａ、３１ｂ                      発信手段１から受信手段２のアンテナ２１ａと２１ｂおよび２１ｃと２１ｄへ向けた方向線
３１ｃ、３１ｄ、３１ｅ              発信手段１から反射物４１ｂへおよび反射物４１ｂから受信手段２のアンテナ２１ａと２１ｂおよび２１ｃと２１ｄへ向けた方向線
３２ａ、３２ｂ、３１ｃ、３１ｄ      アンテナ２１ａと２１ｂおよび２１ｃと２１ｄの指向性
３３ａ                              指向性３１の延長線
３３ｂ、３３ｃ、３３ｄ、３３ｅ      引出線
３４ａ、３４ｂ、３４ｃ、３４ｄ      寸法線
４１ａ                              遮蔽物
４１ｂ                              反射物
４２ａ                              反射物から発信手段１を仰ぐ角度
４２ｂ                              受信手段２から反射物４１ｂを仰ぐ角度
５１                                発信手段が生成するスペルトル拡散符号
５２                                シフトレジスタ
５３                                １周期分の固定相関器
５４                                ΣＳｉｎ積和演算器
５５                                ΣＣｏｓ積和演算器
５６                                発信手段と受信手段の間の遅延時間
５７                                振幅スペクトル検出器
５８                                位相スペクトル検出器
５９、６０                          接続端子
６１                                アナログデジタル変換器
６２                                信号検出器
６３                                基準発振器
１０１                              アンテナスイッチ
１０２                              送信機
１０３                              受信機
１０４                              制御部
１０５                              バッテリー
１０６                              太陽電池
１０７                              発光ダイオード
１０８、１０８ａ、１０８ｂ          指向性パターン
１２１                              帯域通過フイルタ
１２２                              変調器
１２３                              信号発生器
１２４                              増幅器
２０１、２０２、２０３              接続端子
２２３ａ、２２３ｂ                  遅延回路
２２４ａ、２２４ｂ                  サーキュレータ
２２５                              アンテナスイッチ
２２６                              分岐器
２２７                              相関器（Ｎ−１）
２２８ａ、２２８ｂ、２２８ｃ        接続端子
３０１                              アンテナ用レドーム
３０２ａ、３０２ｂ                  アンテナ間隔
【図１】
2006023261.tif 000003
【図２】
2006023261.tif 000004
【図３】
2006023261.tif 000005
【図４】
2006023261.tif 000006
【図５】
2006023261.tif 000007
【図６】
2006023261.tif 000008
【図７】
2006023261.tif 000009
【図８】
2006023261.tif 000010
【図９】
2006023261.tif 000011
【手続補正書】
【提出日】平成16年8月9日(2004.8.9)
【手続補正１】
【補正対象書類名】明細書
【補正対象項目名】０００８
【補正方法】変更
【補正の内容】
【０００８】  以下、本発明の実施例を図１に従って説明する。図１において、１は発信手段、２は受信手段、２１ａ、２１ｂは指向性アンテナ、３１は当該発信手段１のアンテナの指向性パターン、３１ａ、３１ｂは発信手段１から受信手段２のアンテナ２１ａと２１ｂへ向けた方向線、３２ａ、３２ｂはアンテナ２１ａ、２１ｂの指向性パターン、３３ａは指向性３１の延長線、３３ｂは指向性３２ａ、３２ｂの中心線、３４ａ、３４ｂ、３４ｃ、３４ｄは寸法線である。ここで、３４ａをｄｍとし、３４ｂをＤｍとする。発信手段１からは指向性３１の方向にスペクトル拡散符号で拡散された高周波信号が放射されており、受信手段２は指向性３２ａと３２ｂを有するアンテナ２１ａと２１ｂを周期的に切替えながら当該高周波信号を受信しているものとする。受信手段２から見て発信手段１が位置する方向を検知するために発信手段１から方向線３１ａと３１ｂを通って伝搬される高周波信号の拡散符号あるいは搬送波の伝搬位相差を測定するものとすると、伝搬位相差Δφは、Δφ＝（２π／λ）｛ｒ×（ｄ／Ｄ）｝から求められる。ここで、ｒｍ＝アンテナ２１ａと２１ｂ間の長さ、ｄｍ＝３４ａ、Ｄｍ＝３４ｂ、ｄｍ＜＜Ｄｍとする。先ず、伝搬位相差Δφを当該高周波信号の搬送波の位相差で測定する場合を検討すると、無線周波数を２．４ＧＨｚ帯とすると、λ＝０．１２５ｍとなり、ｒ＝０．０３ｍ、ｄ＝０．１ｍ、Ｄ＝１０ｍとすると、Δφ＝５０．２４｛０．０３×（０．１／１０）｝＝０．０１５ラジアン＝０．９°となる。搬送波の伝搬位相差Δφの測定精度はπ／４ラジアンの１００分の１すなわち±０．００８ラジアン＝±０．４５°程度が実現可能であるので、測定精度は１０ｍ先で±３ｃｍ程度となる。すなわち、アンテナ２１ａと２１ｂの間隔が３ｃｍの場合、１０ｍ先の発信手段の位置が±３ｃｍの精度で検知できることになる。次に、伝搬位相差Δφを拡散符号の位相差で測定する場合を検討すると、拡散符号の伝搬速度を４Ｍｂｐｓとすると、λ＝７５ｍとなり、ｒ＝０．４ｍ、ｄ＝１ｍ、Ｄ＝１０ｍとすると、Δφ＝０．０８４｛０．４×（１／１０）｝＝０．００３４ラジアン＝０．２°となる。拡散符号の伝搬位相差Δφの測定精度は搬送波の位相差を測定するより少し良く±０．００６ラジアン＝±０．３４°程度が実現可能であるので、測定精度は１０ｍ先で±４５ｃｍ程度となる。すなわち、アンテナ２１ａと２１ｂの間隔が４０ｃｍの場合、１０ｍ先の発信手段の位置が±４５ｃｍの精度で検知できることになる。上記の場合は、周辺の反射物の影響を考え無い理想的な場合であるが、実際には反射物の影響で測定精度が悪くなる。対策として、発信手段１と発信手段２側に円偏波指向性アンテナを用いることで反射物の影響を軽減できる他、位相差の測定を１ｍｓ／回の高速で行い１００回の移動平均をとることで、測定精度を１０倍とし±０．０４５°に向上できる。また、発信手段１のアンテナ指向性の方向３３ａを歩道沿いと考えると、歩道からのズレｄｍを検知することで、歩道から外れたことをアラームとして出力し、歩く方向を修正することができる。また、スペクトル拡散符号の位相差を測定することで大まかな方向の制御を行い、搬送波の位相差を測定することで精密な方向の制御をすることで相互に補完し、あるいは地磁気センサーあるいは加速度センサーなどを補助的に用いて絶対方位を測定しあるいは移動距離を積算することで方向あるいは位置の検知精度の向上を図ることができる。また、上記とは別に距離を検知する方法として、当該発信手段１において同期しあるいは直交する複数の搬送波周波数の間でホッピングしあるいは同期しあるいは直交する複数の搬送波あるいは複数の副搬送波あるいは複数の変調信号あるいはこれらの組合せにより複数の異なる周波数の高周波信号を生成しあるいは任意の信号により振幅変調あるいは両側帯波変調あるいは単側帯波変調しあるいは直交周波数分割多重化して複数の異なる周波数の高周波信号を生成して同時あるいは交互に発信し、当該受信手段２において当該複数の異なる周波数の高周波信号相互間の位相差を検出することで当該発信手段１と受信手段２の距離Ｄｍを受信タイミングから検知するよりもはるかに高い精度で検知できる。例えば、当該発信手段１から発信される高周波信号の周波数がｆ０から（ｆ０＋Δｆ）にホッピングされ当該受信手段２において受信された高周波信号の搬送波の位相は、電波の伝搬速度をＣ（ｍ／ｓ）とすると、Ｓ１＝ＡＳｉｎ｛２πｆ０ｔ＋φ０＋２πＤ／（Ｃ／ｆ０）｝、Ｓ２＝ＢＳｉｎ｛２π（ｆ０＋Δｆ）ｔ＋φ０＋２πＤ／（Ｃ／（ｆ０＋Δｆ））｝となる。Ｓ１およびＳ２の位相を検出すると、Φ１＝｛φ０＋２πＤ／（Ｃ／ｆ０）｝、Φ２＝｛φ０＋２πＤ／（Ｃ／（ｆ０＋Δｆ））｝となるので、Φ２−Φ１＝２πＤ｛１／（Ｃ／（ｆ０−Δｆ））−１／（Ｃ／ｆ０）｝＝２πＤ｛（（ｆ０＋Δｆ）／Ｃ）−（ｆ０／Ｃ）｝＝２πＤ（Δｆ／Ｃ）となり、位相差（Φ２−Φ１）を検出することで距離Ｄは、Ｄ＝（Φ２−Φ１）／｛２π（Δｆ／Ｃ）｝となり、０．８３３ＭＨｚをホッピングさせると約１ｍ当たりで１°の位相差が生じ、３６０°の位相差が生じるまでに約３６０ｍの距離が検知できることになる。そこで、位相差の測定精度を±０．０３°まで向上できれば、当該発信手段で生成されるスペクトル拡散符号を利用して長い尺度（１００ｍ単位等）とし、当該発信手段でホッピングさせることで短い尺度（１ｃｍ単位等）とし、通常の巻尺と同様な感覚で、１ｃｍ単位で１００ｍまでの距離が検知できることになる。１００ｍを越える距離は当該スペクトル拡散符号を利用して更に１００ｍ単位で延長できる。なお、周波数がｆ０から（ｆ０＋Δｆ）にホッピングされる代わりに同期しあるいは直交する複数の高周波信号を同時にあるいは交互に切替えて発信し、当該受信手段側で当該複数の高周波信号間の位相差を検出しても同様な効果が得られる。また、当該受信手段２に複数のアンテナを接続して切替える代わりに、当該発信手段１に複数のアンテナを接続して切替えあるいは当該複数のアンテナ毎に個別に異なるスペクトル拡散符号により拡散した高周波信号を発信し、当該受信手段１では単一のアンテナを用いて受信しても同様な効果が得られる。また、当該発信手段１において高周波信号を拡散するスペクトル拡散符号の伝送速度を変化させて発信しあるいは伝送速度と符号系列の異なる複数のスペクトル拡散符号で拡散させて同時に発信し、当該受信手段２において当該複数のスペクトル拡��符号のタイミングあるいは振幅あるいは周波数あるいは位相あるいはこれらの組合せをリアルタイムで検出して比較することで当該発信手段１と受信手段２の距離を測定することができる。また、当該発信手段１のアンテナは、交差点などで周辺に反射物体が少ない場合には、無指向性にすることで交差点に向かう全てのルートで発信手段１の役割を果たすことができるが、反射物体が多い場合には、指向性を有するもの複数基を接続し指向性の方向を違えて各々を歩道あるいは横断歩道の方向に合わせあるいは各アンテナ毎に拡散符号を変えあるいは識別番号を変えることで、１台の発信手段１で、道路沿いの複数の歩道あるいは横断歩道に沿って人を誘導することができる。また、当該受信手段２が携帯端末であり、発信手段１から発信される識別番号を検知し、当該発信手段１の位置情報を知ることで自分の現在位置と進む方向を確認することができることから、当該携帯端末は、視覚障害者にも健常者にも有効な歩行者誘導システムを提供できる。一方、発信手段１を人が携帯し、受信手段２を固定することで、発信手段１を携帯する人の正確な位置を検知することができる。また、当該発信手段１および受信手段２を固定して高周波信号の位相差の変化を監視することで、発信手段１と受信手段２との間に人物等の動く物体が存在することを感知できる。また、当該受信手段２の指向性アンテナ２１ａ、２１ｂを複数組準備して対角線上に配置し、当該複数組の組ごとに切替えて発信手段１の存在する方向と距離を測定し、その結果を用いて当該発信手段１を追尾しあるいは追跡することができる。また、当該発信手段１を常時待機状態としておき、当該受信手段２からの無線信号による要求に応じて、当該高周波信号を連続あるいはバースト状に発信することで、電波の有効利用と電力消費の低減が図れる。なお、この目的のため、２．４ＧＨｚ帯のブルートウースを採用することが効果的である。また、当該発信手段１から発信され当該受信手段に直接伝搬される高周波信号と地面あるいは側壁で反射されて伝搬される高周波信号が干渉して生じるいわゆるマルチパスによる方向測定の誤差は、スペクトル拡散方式を採用することと当該指向性アンテナに円偏波指向性アンテナを採用することと当該発信手段あるいは受信手段に複数の円偏波指向性アンテナを設けることで影響を削減できることが確認されている。また、当該受信手段２のアンテナ２１ａ、２１ｂを複数の指向性アンテナとし、指向性の方向をほぼ同じにして当該搬送波の波長より短い間隔で設置して１組とし更に複数組を当該拡散符号のチップ長さより短い間隔で設置し、あるいは複数のアンテナの指向性を徐々に変えながら当該搬送波の波長より短い間隔で円形状あるいは角形状あるいは任意の形状に沿って配置することによってマルチパスの発生方向を分析することでマルチパスの影響を削減できることも確認されている。また、当該発信手段１から当該受信手段２に向かう高周波信号の伝搬路内あるいは周辺に反射物体が存在する場合には、減衰特性を有する塗料あるいは板材あるいは膜材などを塗布あるいは接着あるいは取り付けることでマルチパスの影響を軽減できる。なお、当該発信手段１および当該受信手段２のアンテナとして円偏��指向性アンテナを用いる場合当該発信手段から当該受信手段に向かう伝搬路の周辺あるいは伝搬路内あるいは伝搬路に沿って反射物体が存在する場合当該反射物体により生じる１回目の反射に対しては偏波面が異なるため減衰が生じるが２回目の反射に対しては元の偏波面に戻るので減衰が少なくなる欠点があるが当該反射物体に対策を施すと２回の反射によって２倍の減衰（例えば１回当たり３ｄＢの減衰増加として２×３＝６ｄＢの減衰増加）が得られる利点がある。また、当該発信手段１に接続された複数のアンテナの指向性が特定の経路あるいは方向に沿って向けられておりあるいは複数の放射素子を持つ漏洩同軸ケーブルが特定の経路あるいは方向に沿って設置され、当該複数のアンテナあるいは漏洩同軸ケーブルから発信される高周波信号の搬送波の周波数が同一であるかあるいは一定の誤差以内に保持されており当該複数個のアンテナあるいは漏洩同軸ケーブルから当該高周波信号が発信されるタイミングが交互に切替えられあるいは特定方向に沿って順次行われ歩行者あるいは移動体あるいは飛行体の進行方向を誘導するために用いられる。また、当該発信手段１のアンテナあるいは開口面が当該搬送波の半波長間隔で連続して設けられた漏洩同軸ケーブルが複数組設けられ当該発信手段から発信される高周波信号に当該組ごとに異なる特性例えば安全地帯と危険地帯を示す符号あるいは信号が重畳されており当該受信手段が当該高周波信号が発信された方向を当該組ごとに検知することにより当該発信手段の現在地点あるいはエリアが安全地帯であるか危険地帯で有るかを検知することができる。また、当該発信手段１のアンテナとして、駅のプラットホームの端など安全地帯と危険地帯の境界線に沿って漏洩同軸ケーブル２本を平行に設置し、一方のケーブルに安全信号を他方のケーブルに危険信号を流すことによって視覚障害者に対して駅のプラットホームの端あるいは安全地帯と危険地帯を検知させ識別させることができ、あるいは指向性アンテナを用いて横断歩道の中央方向に沿って安全信号を流し両端方向に沿って危険信号を流すことによって横断歩道から逸脱せずに渡らせることができる。また、当該発信手段１と受信手段２が同一の移動体に搭載されあるいは装着されあるいは移動体により携帯され当該発信手段１のアンテナが円偏波指向性アンテナであり当該受信手段２のアンテナが当該発信手段１とは逆旋回の円偏波指向性アンテナであり当該発信手段１から発信された高周波信号が当該移動体の周辺に存在する反射物体から反射されて当該受信手段で受信される高周波信号の振幅あるいは周波数あるいは位相あるいはこれらの組合せを測定しあるいは当該受信手段２での受信が妨害された場合には当該発信手段１から発信される高周波信号の拡散符号を変更して当該高周波信号の振幅あるいは周波数あるいは位相あるいはこれらの組合せを測定することで当該移動体が進行する方向の障害物を検知することができる。また、当該複数の搬送波信号を直交させるために直交周波数分割多重（ＯＦＤＭ）方式を採用しあるいは当該変調信号あるいは拡散符号により両側帯波変調あるいは単側帯波変調をすることで同様な効果が得られる。